(57)【特許請求の範囲】
【請求項１】
基地局に用いられるクロスキャリアスケジューリング方法であって、
スケジューリング情報を端末に送信するステップを含み、前記スケジューリング情報は、スケジューリングキャリアを介して少なくとも１つのターゲットキャリア上のターゲット帯域幅部分をクロスキャリアスケジューリングするために使用され、
ここで、前記ターゲットキャリアは、前記スケジューリングキャリアによりスケジューリングされ、且つ少なくとも１つの帯域幅部分が構成されたキャリアであり、前記帯域幅部分は、前記キャリア上で予め指定された周波数領域リソースであり、前記ターゲット帯域幅部分は、前記ターゲットキャリア上の全ての帯域幅部分のうち、前記スケジューリングキャリアによりスケジューリングされた帯域幅部分であり、
前記端末に対して構成された各キャリア上の物理リソースブロックを予め定義された順序で個別に番号付け、且つ各キャリア上の前記帯域幅部分を物理リソースブロックの単位で予め定義された順序で独立して番号付ける場合、前記スケジューリング情報には、
関連情報と、
スケジューリングされた物理リソースブロックＰＲＢを指示するためのＰＲＢ指示情報と、が含まれ、
ここで、前記関連情報は、キャリア指示情報及び帯域幅部分スケジューリング情報に関連する情報であり、前記キャリア指示情報は、スケジューリングされたキャリアを指示するための情報であり、前記帯域幅部分指示情報は、スケジューリングされたキャリア内のスケジューリングされた帯域幅部分を指示するための情報であり、
前記関連情報は、ＰＢＣＨ又はＳＳ  ｂｌｏｃｋをスクランブルしたスクランブリングシーケンスであり、
前記関連情報は、予め定義され、又は前記基地局により前記端末に対して構成されたものであり、
前記関連情報が前記基地局により前記端末に対して構成されたものである場合、
ターゲットシグナリングを介して前記関連情報を前記端末に送信するステップをさらに含み、ここで、前記ターゲットシグナリングには、無線リソース制御シグナリング、システム情報、メディアアクセス制御アドレス制御ユニット及び物理層シグナリングのうちのいずれか１つが含まれる
ことを特徴とするクロスキャリアスケジューリング方法。
【請求項２】
前記スケジューリング情報を端末に送信するステップは、
ターゲットシグナリングを介してスケジューリング情報を端末に送信するステップを含み、ここで、前記ターゲットシグナリングには、
無線リソース制御シグナリング、システム情報、メディアアクセス制御アドレス制御ユニット及び物理層シグナリングのうちのいずれか１つが含まれる
ことを特徴とする請求項１に記載の方法。
【請求項３】
前記端末に対して構成された各キャリア上の物理リソースブロックを予め定義された順序で個別に番号付ける場合、前記スケジューリング情報には、
スケジューリングされたキャリアを指示するためのキャリア指示情報と、
スケジューリングされたキャリア内のスケジューリングされた物理リソースブロックＰＲＢを指示するためのＰＲＢ指示情報と、が含まれる
ことを特徴とする請求項１に記載の方法。
【請求項４】
前記端末に対して構成された全てのキャリア上の物理リソースブロックを予め定義された順序で一括して番号付ける場合、前記スケジューリング情報には、
スケジューリングされた物理リソースブロックＰＲＢを指示するためのＰＲＢ指示情報が含まれる
ことを特徴とする請求項１に記載の方法。
【請求項５】
前記端末に対して構成された各キャリア上の物理リソースブロックを予め定義された順序で個別に番号付け、且つ各キャリア上の前記帯域幅部分を物理リソースブロックの単位で予め定義された順序で独立して番号付ける場合、前記スケジューリング情報には、
スケジューリングされたキャリアを指示するためのキャリア指示情報と、
スケジューリングされたキャリア内のスケジューリングされた帯域幅部分を指示するための帯域幅部分指示情報と、
スケジューリングされたキャリア内のスケジューリングされた帯域幅部分内のスケジューリングされた物理リソースブロックＰＲＢを指示するためのＰＲＢ指示情報と、が含まれる
ことを特徴とする請求項１に記載の方法。
【請求項６】
前記キャリア指示情報の情報長値は第１の予定値であり、且つ前記スケジューリング情報内の第１の予定位置に設定され、
前記帯域幅部分指示情報の情報長値は第２の予定値であり、且つ前記スケジューリング情報内の第２の予定位置に設定され、
ここで、前記第１の予定位置と前記第２の予定位置は同じ又は異なる
ことを特徴とする請求項５に記載の方法。
【請求項７】
端末に用いられるクロスキャリアスケジューリング方法であって、
基地局により送信されたスケジューリング情報を受信するステップと、
前記スケジューリング情報に基づいて少なくとも１つのターゲットキャリア上のターゲット帯域幅部分を決定するステップと、
前記スケジューリング情報が位置しているスケジューリングキャリアを介して前記ターゲット帯域幅部分をスケジューリングするステップと、を含み、
ここで、前記ターゲットキャリアは、前記スケジューリングキャリアによりスケジューリングされ、且つ少なくとも１つの帯域幅部分が構成されたキャリアであり、前記帯域幅部分は、前記ターゲットキャリア上で予め指定された周波数領域リソースであり、前記ターゲット帯域幅部分は、前記ターゲットキャリア上の全ての帯域幅部分のうち、前記スケジューリングキャリアによりスケジューリングされた帯域幅部分であり、

前記スケジューリング情報に基づいて少なくとも１つのターゲットキャリア上のターゲット帯域幅部分を決定するステップは、
前記スケジューリング情報に、関連情報と、スケジューリングされた物理リソースブロックＰＲＢを指示するためのＰＲＢ指示情報と、が含まれる場合、予め記憶された前記関連情報とキャリア指示情報及び帯域幅部分指示情報との間のマッピング関係に基づき、スケジューリング情報内の関連情報に対応するキャリア指示情報及び帯域幅部分指示情報を取得するステップと、
前記キャリア指示情報により指示されるキャリアを前記ターゲットキャリアとするステップと、
前記ターゲットキャリア内の前記帯域幅部分指示情報及び前記ＰＲＢ指示情報に対応する周波数領域リソースを前記ターゲット帯域幅部分とするステップと、を含み、
前記関連情報は、予め定義され、又は前記基地局により前記端末に対して構成されてターゲットシグナリングを介して端末に送信されたものであり、
前記ターゲットシグナリングには、無線リソース制御シグナリング、システム情報、メディアアクセス制御アドレス制御ユニット及び物理層シグナリングのうちのいずれか1つが含まれ、
前記関連情報は、ＰＢＣＨ又はＳＳ  ｂｌｏｃｋをスクランブルしたスクランブリングシーケンスである
ことを特徴とするクロスキャリアスケジューリング方法。
【請求項８】
前記スケジューリング情報に基づいて少なくとも１つのターゲットキャリア上のターゲット帯域幅部分を決定するステップは、
前記スケジューリング情報に、スケジューリングされたキャリアを指示するためのキャリア指示情報と、スケジューリングされたキャリア内のスケジューリングされた物理リソースブロックＰＲＢを指示するためのＰＲＢ指示情報と、が含まれる場合、前記キャリア指示情報により指示されるキャリアを前記ターゲットキャリアとするステップと、
前記ターゲットキャリア内の前記ＰＲＢ指示情報に対応する周波数領域リソースを前記ターゲット帯域幅部分とするステップと、を含む
ことを特徴とする請求項７に記載の方法。
【請求項９】
前記スケジューリング情報に基づいて少なくとも１つのターゲットキャリア上のターゲット帯域幅部分を決定するステップは、
前記スケジューリング情報に、スケジューリングされた物理リソースブロックＰＲＢのＰＲＢ指示情報が含まれる場合、前記ＰＲＢ指示情報に対応する周波数領域リソースを前記ターゲット帯域幅部分とするステップを含む
ことを特徴とする請求項７に記載の方法。
【請求項１０】
前記スケジューリング情報に基づいて少なくとも１つのターゲットキャリア上のターゲット帯域幅部分を決定するステップは、
前記スケジューリング情報に、ケジューリングされたキャリアを指示するためのキャリア指示情報と、スケジューリングされたキャリア内のスケジューリングされた帯域幅部分を指示するための帯域幅部分指示情報と、スケジューリングされたキャリア内のスケジューリングされた帯域幅部分内のスケジューリングされた物理リソースブロックＰＲＢを指示するためのＰＲＢ指示情報と、が含まれる場合、前記キャリア指示情報により指示されるキャリアを前記ターゲットキャリアとするステップと、
前記ターゲットキャリア内の前記帯域幅部分指示情報及び前記ＰＲＢ指示情報に対応する周波数領域リソースを前記ターゲット帯域幅部分とするステップと、を含む
ことを特徴とする請求項７に記載の方法。
【請求項１１】
基地局に用いられるクロスキャリアスケジューリング装置であって、
スケジューリング情報を端末に送信するように構成される第１の送信モジュールを備え、前記スケジューリング情報は、スケジューリングキャリアを介して少なくとも１つのターゲットキャリア上のターゲット帯域幅部分をクロスキャリアスケジューリングするために使用され、
ここで、前記ターゲットキャリアは、前記スケジューリングキャリアによりスケジューリングされ、且つ少なくとも１つの帯域幅部分が構成されたキャリアであり、前記帯域幅部分は、前記キャリア上で予め指定された周波数領域リソースであり、前記ターゲット帯域幅部分は、前記ターゲットキャリア上の全ての帯域幅部分のうち、前記スケジューリングキャリアによりスケジューリングされた帯域幅部分であり、
前記端末に対して構成された各キャリア上の物理リソースブロックを予め定義された順序で個別に番号付け、且つ各キャリア上の前記帯域幅部分を物理リソースブロックの単位で予め定義された順序で独立して番号付ける場合、前記スケジューリング情報には、
関連情報と、
スケジューリングされた物理リソースブロックＰＲＢを指示するためのＰＲＢ指示情報と、が含まれ、
ここで、前記関連情報は、キャリア指示情報及び帯域幅部分スケジューリング情報に関連する情報であり、前記キャリア指示情報は、スケジューリングされたキャリアを指示するための情報であり、前記帯域幅部分指示情報は、スケジューリングされたキャリア内のスケジューリングされた帯域幅部分を指示するための情報であり、
前記関連情報は、ＰＢＣＨ又はＳＳ  ｂｌｏｃｋをスクランブルしたスクランブリングシーケンスであり、
前記関連情報は、予め定義され、又は前記基地局により前記端末に対して構成されたものであり、
前記関連情報が前記基地局により前記端末に対して構成されたものである場合、
ターゲットシグナリングを介して前記関連情報を前記端末に送信するように構成される第２の送信モジュールをさらに備え、ここで、前記ターゲットシグナリングには、無線リソース制御シグナリング、システム情報、メディアアクセス制御アドレス制御ユニット及び物理層シグナリングのうちのいずれか１つが含まれる
ことを特徴とするクロスキャリアスケジューリング装置。
【請求項１２】
前記第１の送信モジュールは、
ターゲットシグナリングを介してスケジューリング情報を端末に送信するように構成される送信サブモジュールを備え、ここで、前記ターゲットシグナリングには、
無線リソース制御シグナリング、システム情報、メディアアクセス制御アドレス制御ユニット及び物理層シグナリングのうちのいずれか１つが含まれる
ことを特徴とする請求項１１に記載の装置。
【請求項１３】
前記端末に対して構成された各キャリア上の物理リソースブロックを予め定義された順序で個別に番号付ける場合、前記スケジューリング情報には、
スケジューリングされたキャリアを指示するためのキャリア指示情報と、
スケジューリングされたキャリア内のスケジューリングされた物理リソースブロックＰＲＢを指示するためのＰＲＢ指示情報と、が含まれる
ことを特徴とする請求項１１に記載の装置。
【請求項１４】
前記端末に対して構成された全てのキャリア上の物理リソースブロックを予め定義された順序で一括して番号付ける場合、前記スケジューリング情報には、
スケジューリングされた物理リソースブロックＰＲＢを指示するためのＰＲＢ指示情報が含まれる
ことを特徴とする請求項１１に記載の装置。
【請求項１５】
前記端末に対して構成された各キャリア上の物理リソースブロックを予め定義された順序で個別に番号付け、且つ各キャリア上の前記帯域幅部分を物理リソースブロックの単位で予め定義された順序で独立して番号付ける場合、前記スケジューリング情報には、
スケジューリングされたキャリアを指示するためのキャリア指示情報と、
スケジューリングされたキャリア内のスケジューリングされた帯域幅部分を指示するための帯域幅部分指示情報と、
スケジューリングされたキャリア内のスケジューリングされた帯域幅部分内のスケジューリングされた物理リソースブロックＰＲＢを指示するためのＰＲＢ指示情報と、が含まれる
ことを特徴とする請求項１１に記載の装置。
【請求項１６】
前記キャリア指示情報の情報長値は第１の予定値であり、且つ前記スケジューリング情報内の第１の予定位置に設定され、
前記帯域幅部分指示情報の情報長値は第２の予定値であり、且つ前記スケジューリング情報内の第２の予定位置に設定され、
ここで、前記第１の予定位置と前記第２の予定位置は同じ又は異なる
ことを特徴とする請求項１５に記載の装置。
【請求項１７】
端末に用いられるクロスキャリアスケジューリング装置であって、
基地局により送信されたスケジューリング情報を受信するように構成される受信モジュールと、
前記スケジューリング情報に基づいて少なくとも１つのターゲットキャリア上のターゲット帯域幅部分を決定するように構成される決定モジュールと、
前記スケジューリング情報が位置しているスケジューリングキャリアを介して前記ターゲット帯域幅部分をスケジューリングするように構成される帯域幅部分スケジューリングモジュールと、を備え、
ここで、前記ターゲットキャリアは、前記スケジューリングキャリアによりスケジューリングされ、且つ少なくとも１つの帯域幅部分が構成されたキャリアであり、前記帯域幅部分は、前記ターゲットキャリア上で予め指定された周波数領域リソースであり、前記ターゲット帯域幅部分は、前記ターゲットキャリア上の全ての帯域幅部分のうち、前記スケジューリングキャリアによりスケジューリングされた帯域幅部分であり、
前記決定モジュールは、
前記スケジューリング情報に、関連情報と、スケジューリングされた物理リソースブロックＰＲＢを指示するためのＰＲＢ指示情報と、が含まれる場合、予め記憶された前記関連情報とキャリア指示情報及び帯域幅部分指示情報との間のマッピング関係に基づき、スケジューリング情報内の関連情報に対応するキャリア指示情報及び帯域幅部分指示情報を取得するように構成される第６の決定サブモジュールと、
前記キャリア指示情報により指示されるキャリアを前記ターゲットキャリアとするように構成される第７の決定サブモジュールと、
前記ターゲットキャリア内の前記帯域幅部分指示情報及び前記ＰＲＢ指示情報に対応する周波数領域リソースを前記ターゲット帯域幅部分とするように構成される第８の決定サブモジュールと、を備え、
前記関連情報は、予め定義され、又は前記基地局により前記端末に対して構成されてターゲットシグナリングを介して端末に送信されたものであり、
前記ターゲットシグナリングには、無線リソース制御シグナリング、システム情報、メディアアクセス制御アドレス制御ユニット及び物理層シグナリングのうちのいずれか1つが含まれ、
前記関連情報は、ＰＢＣＨ又はＳＳ  ｂｌｏｃｋをスクランブルしたスクランブリングシーケンスである
ことを特徴とするクロスキャリアスケジューリング装置。
【請求項１８】
前記決定モジュールは、
前記スケジューリング情報に、スケジューリングされたキャリアを指示するためのキャリア指示情報と、スケジューリングされたキャリア内のスケジューリングされた物理リソースブロックＰＲＢを指示するためのＰＲＢ指示情報と、が含まれる場合、前記キャリア指示情報により指示されるキャリアを前記ターゲットキャリアとするように構成される第１の決定サブモジュールと、
前記ターゲットキャリア内の前記ＰＲＢ指示情報に対応する周波数領域リソースを前記ターゲット帯域幅部分とするように構成される第２の決定サブモジュールと、を備える
ことを特徴とする請求項１７に記載の装置。
【請求項１９】
前記決定モジュールは、
前記スケジューリング情報に、スケジューリングされた物理リソースブロックＰＲＢのＰＲＢ指示情報が含まれる場合、前記ＰＲＢ指示情報に対応する周波数領域リソースを前記ターゲット帯域幅部分とするように構成される第３の決定サブモジュールを備える
ことを特徴とする請求項１７に記載の装置。
【請求項２０】
前記決定モジュールは、
前記スケジューリング情報に、ケジューリングされたキャリアを指示するためのキャリア指示情報と、スケジューリングされたキャリア内のスケジューリングされた帯域幅部分を指示するための帯域幅部分指示情報と、スケジューリングされたキャリア内のスケジューリングされた帯域幅部分内のスケジューリングされた物理リソースブロックＰＲＢを指示するためのＰＲＢ指示情報と、が含まれる場合、前記キャリア指示情報により指示されるキャリアを前記ターゲットキャリアとするように構成される第４の決定サブモジュールと、
前記ターゲットキャリア内の前記帯域幅部分指示情報及び前記ＰＲＢ指示情報に対応する周波数領域リソースを前記ターゲット帯域幅部分とするように構成される第５の決定サブモジュールと、を備える
ことを特徴とする請求項１７に記載の装置。
【請求項２１】
コンピュータプログラムが記憶されたコンピュータ読み取り可能な記録媒体であって、
前記コンピュータプログラムは、上記の請求項１〜６のいずれか１項に記載のクロスキ
ャリアスケジューリング方法を実行するために使用される
ことを特徴とするコンピュータ読み取り可能な記録媒体。
【請求項２２】
コンピュータプログラムが記憶されたコンピュータ読み取り可能な記録媒体であって、
前記コンピュータプログラムは、上記の請求項７〜１０のいずれか１項に記載のクロス
キャリアスケジューリング方法を実行するために使用される
ことを特徴とするコンピュータ読み取り可能な記録媒体。
【請求項２３】
基地局に用いられるクロスキャリアスケジューリング装置であって、
プロセッサーと、
プロセッサーで実行可能な命令を記憶するためのメモリと、を備え、
ここで、前記プロセッサーは、
スケジューリング情報を端末に送信するように構成され、前記スケジューリング情報は、スケジューリングキャリアを介して少なくとも１つのターゲットキャリア上のターゲット帯域幅部分をクロスキャリアスケジューリングするために使用され、
ここで、前記ターゲットキャリアは、前記スケジューリングキャリアによりスケジューリングされ、且つ少なくとも１つの帯域幅部分が構成されたキャリアであり、前記帯域幅部分は、前記キャリア上で予め指定された周波数領域リソースであり、前記ターゲット帯域幅部分は、前記ターゲットキャリア上の全ての帯域幅部分のうち、前記スケジューリングキャリアによりスケジューリングされた帯域幅部分であり、
前記端末に対して構成された各キャリア上の物理リソースブロックを予め定義された順序で個別に番号付け、且つ各キャリア上の前記帯域幅部分を物理リソースブロックの単位で予め定義された順序で独立して番号付ける場合、前記スケジューリング情報には、
関連情報と、
スケジューリングされた物理リソースブロックＰＲＢを指示するためのＰＲＢ指示情報と、が含まれ、
ここで、前記関連情報は、キャリア指示情報及び帯域幅部分スケジューリング情報に関連する情報であり、前記キャリア指示情報は、スケジューリングされたキャリアを指示するための情報であり、前記帯域幅部分指示情報は、スケジューリングされたキャリア内のスケジューリングされた帯域幅部分を指示するための情報であり、
前記関連情報は、ＰＢＣＨ又はＳＳ  ｂｌｏｃｋをスクランブルしたスクランブリングシーケンスであり、
前記関連情報は、予め定義され、又は前記基地局により前記端末に対して構成されたものであり、
前記関連情報が前記基地局により前記端末に対して構成されたものである場合、前記プロセッサーは、
ターゲットシグナリングを介して前記関連情報を前記端末に送信し、ここで、前記ターゲットシグナリングには、無線リソース制御シグナリング、システム情報、メディアアクセス制御アドレス制御ユニット及び物理層シグナリングのうちのいずれか1つが含まれる
ことを特徴とするクロスキャリアスケジューリング装置。
【請求項２４】
端末に用いられるクロスキャリアスケジューリング装置であって、
プロセッサーと、
プロセッサーで実行可能な命令を記憶するためのメモリと、を備え、
ここで、前記プロセッサーは、
基地局により送信されたスケジューリング情報を受信し、
前記スケジューリング情報に基づいて少なくとも１つのターゲットキャリア上のターゲット帯域幅部分を決定し、
前記スケジューリング情報が位置しているスケジューリングキャリアを介して前記ターゲット帯域幅部分をスケジューリングするように構成され、
ここで、前記ターゲットキャリアは、前記スケジューリングキャリアによりスケジューリングされ、且つ少なくとも１つの帯域幅部分が構成されたキャリアであり、前記帯域幅部分は、前記ターゲットキャリア上で予め指定された周波数領域リソースであり、前記ターゲット帯域幅部分は、前記ターゲットキャリア上の全ての帯域幅部分のうち、前記スケジューリングキャリアによりスケジューリングされた帯域幅部分であり、
前記スケジューリング情報に基づいて少なくとも１つのターゲットキャリア上のターゲット帯域幅部分を決定することは、
前記スケジューリング情報に、関連情報と、スケジューリングされた物理リソースブロックＰＲＢを指示するためのＰＲＢ指示情報と、が含まれる場合、予め記憶された前記関連情報とキャリア指示情報及び帯域幅部分指示情報との間のマッピング関係に基づき、スケジューリング情報内の関連情報に対応するキャリア指示情報及び帯域幅部分指示情報を取得することと、
前記キャリア指示情報により指示されるキャリアを前記ターゲットキャリアとすることと、
前記ターゲットキャリア内の前記帯域幅部分指示情報及び前記ＰＲＢ指示情報に対応する周波数領域リソースを前記ターゲット帯域幅部分とすることと、を含み、
前記関連情報は、予め定義され、又は前記基地局により前記端末に対して構成されてターゲットシグナリングを介して端末に送信されたものであり、
前記ターゲットシグナリングには、無線リソース制御シグナリング、システム情報、メディアアクセス制御アドレス制御ユニット及び物理層シグナリングのうちのいずれか1つが含まれ、
前記関連情報は、ＰＢＣＨ又はＳＳ  ｂｌｏｃｋをスクランブルしたスクランブリングシーケンスである
ことを特徴とするクロスキャリアスケジューリング装置。
【発明の詳細な説明】
【技術分野】
【０００１】
本発明は、通信技術分野に関し、特にクロスキャリアスケジューリング方法及び装置に関する。
【背景技術】
【０００２】
関連技術では、異種ネットワーク内の制御チャネル上の干渉問題を回避し、及び異なるキャリア上の制御領域の負荷分散を実現するために、クロスキャリアスケジューリングを行うことができる。スケジューリング情報を運搬するスケジューリングキャリアを介して他の少なくとも１つのキャリアをスケジューリングする。
【０００３】
次世代通信システムでは、端末は、１つのキャリア上で少なくとも１つの帯域幅部分をサポートすることができ、且つ端末は異なるキャリア又は帯域幅部分上で異なるｎｕｍｅｒｏｌｏｇｙ（パラメータセット）を持つことができる。しかしながら、関連技術では、クロスキャリアで帯域幅部分をスケジューリングするための解決策がまだ存在しない。
【発明の概要】
【発明が解決しようとする課題】
【０００４】
本発明の実施例は、関連技術に存在する問題を克服するための、クロスキャリアスケジューリング方法及び装置を提供する。
【課題を解決するための手段】
【０００５】
本発明の実施例の第１の態様によれば、基地局に用いられるクロスキャリアスケジューリング方法が提供され、前記方法は、
スケジューリング情報を端末に送信するステップを含み、前記スケジューリング情報は、スケジューリングキャリアを介して少なくとも１つのターゲットキャリア上のターゲット帯域幅部分をクロスキャリアスケジューリングするために使用され、
ここで、前記ターゲットキャリアは、前記スケジューリングキャリアによりスケジューリングされ、且つ少なくとも１つの帯域幅部分が構成されたキャリアであり、前記帯域幅部分は、前記キャリア上で予め指定された周波数領域リソースであり、前記ターゲット帯域幅部分は、前記ターゲットキャリア上の全ての帯域幅部分のうち、前記スケジューリングキャリアによりスケジューリングされた帯域幅部分である。
【０００６】
選択的に、前記スケジューリング情報を端末に送信するステップは、
ターゲットシグナリングを介してスケジューリング情報を端末に送信するステップを含み、ここで、前記ターゲットシグナリングには、
無線リソース制御シグナリング、システム情報、メディアアクセス制御アドレス制御ユニット及び物理層シグナリングのうちのいずれか１つが含まれる。
【０００７】
選択的に、前記端末に対して構成された各キャリア上の物理リソースブロックを予め定義された順序で個別に番号付ける場合、前記スケジューリング情報には、
スケジューリングされたキャリアを指示するためのキャリア指示情報と、
スケジューリングされたキャリア内のスケジューリングされた物理リソースブロックＰＲＢを指示するためのＰＲＢ指示情報と、が含まれる。
【０００８】
選択的に、前記端末に対して構成された全てのキャリア上の物理リソースブロックを予め定義された順序で一括して番号付ける場合、前記スケジューリング情報には、
スケジューリングされた物理リソースブロックＰＲＢを指示するためのＰＲＢ指示情報が含まれる。
【０００９】
選択的に、前記端末に対して構成された各キャリア上の物理リソースブロックを予め定義された順序で個別に番号付け、且つ各キャリア上の前記帯域幅部分を物理リソースブロックの単位で予め定義された順序で独立して番号付ける場合、前記スケジューリング情報には、
スケジューリングされたキャリアを指示するためのキャリア指示情報と、
スケジューリングされたキャリア内のスケジューリングされた帯域幅部分を指示するための帯域幅部分指示情報と、
スケジューリングされたキャリア内のスケジューリングされた帯域幅部分内のスケジューリングされた物理リソースブロックＰＲＢを指示するためのＰＲＢ指示情報と、が含まれる。
【００１０】
選択的に、前記キャリア指示情報の情報長値は第１の予定値であり、且つ前記スケジューリング情報内の第１の予定位置に設定され、
前記帯域幅部分指示情報の情報長値は第２の予定値であり、且つ前記スケジューリング情報内の第２の予定位置に設定され、
ここで、前記第１の予定位置と前記第２の予定位置は同じ又は異なる。
【００１１】
選択的に、前記端末に対して構成された各キャリア上の物理リソースブロックを予め定義された順序で個別に番号付け、且つ各キャリア上の前記帯域幅部分を物理リソースブロックの単位で予め定義された順序で独立して番号付ける場合、前記スケジューリング情報には、
関連情報と、
スケジューリングされた物理リソースブロックＰＲＢを指示するためのＰＲＢ指示情報と、が含まれ、
ここで、前記関連情報は、キャリア指示情報及び帯域幅部分スケジューリング情報に関連する情報であり、前記キャリア指示情報は、スケジューリングされたキャリアを指示するための情報であり、前記帯域幅部分指示情報は、スケジューリングされた帯域幅部分を指示するための情報である。
【００１２】
選択的に、前記関連情報は、予め定義され、又は前記基地局により前記端末に対して構成されたものであり、
前記関連情報が前記基地局により前記端末に対して構成されたものである場合、前記方法は、
ターゲットシグナリングを介して前記関連情報を前記端末に送信するステップをさらに含み、ここで、前記ターゲットシグナリングには、無線リソース制御シグナリング、システム情報、メディアアクセス制御アドレス制御ユニット及び物理層シグナリングのうちのいずれか１つが含まれる。
【００１３】
本発明の実施例の第２の態様によれば、端末に用いられるクロスキャリアスケジューリング方法が提供され、前記方法は、
基地局により送信されたスケジューリング情報を受信するステップと、
前記スケジューリング情報に基づいて少なくとも１つのターゲットキャリア上のターゲット帯域幅部分を決定するステップと、
前記スケジューリング情報が位置しているスケジューリングキャリアを介して前記ターゲット帯域幅部分をスケジューリングするステップと、を含み、
ここで、前記ターゲットキャリアは、前記スケジューリングキャリアによりスケジューリングされ、且つ少なくとも１つの帯域幅部分が構成されたキャリアであり、前記帯域幅部分は、前記ターゲットキャリア上で予め指定された周波数領域リソースであり、前記ターゲット帯域幅部分は、前記ターゲットキャリア上の全ての帯域幅部分のうち、前記スケジューリングキャリアによりスケジューリングされた帯域幅部分である。
【００１４】
選択的に、前記スケジューリング情報に基づいて少なくとも１つのターゲットキャリア上のターゲット帯域幅部分を決定するステップは、
前記スケジューリング情報に、スケジューリングされたキャリアを指示するためのキャリア指示情報と、スケジューリングされたキャリア内のスケジューリングされた物理リソースブロックＰＲＢを指示するためのＰＲＢ指示情報と、が含まれる場合、前記キャリア指示情報により指示されるキャリアを前記ターゲットキャリアとするステップと、
前記ターゲットキャリア内の前記ＰＲＢ指示情報に対応する周波数領域リソースを前記ターゲット帯域幅部分とするステップと、を含む。
【００１５】
選択的に、前記スケジューリング情報に基づいて少なくとも１つのターゲットキャリア上のターゲット帯域幅部分を決定するステップは、
前記スケジューリング情報に、スケジューリングされた物理リソースブロックＰＲＢのＰＲＢ指示情報が含まれる場合、前記ＰＲＢ指示情報に対応する周波数領域リソースを前記ターゲット帯域幅部分とするステップを含む。
【００１６】
選択的に、前記スケジューリング情報に基づいて少なくとも１つのターゲットキャリア上のターゲット帯域幅部分を決定するステップは、
前記スケジューリング情報に、ケジューリングされたキャリアを指示するためのキャリア指示情報と、スケジューリングされたキャリア内のスケジューリングされた帯域幅部分を指示するための帯域幅部分指示情報と、スケジューリングされたキャリア内のスケジューリングされた帯域幅部分内のスケジューリングされた物理リソースブロックＰＲＢを指示するためのＰＲＢ指示情報と、が含まれる場合、前記キャリア指示情報により指示されるキャリアを前記ターゲットキャリアとするステップと、
前記ターゲットキャリア内の前記帯域幅部分指示情報及び前記ＰＲＢ指示情報に対応する周波数領域リソースを前記ターゲット帯域幅部分とするステップと、を含む。
【００１７】
選択的に、前記スケジューリング情報に基づいて少なくとも１つのターゲットキャリア上のターゲット帯域幅部分を決定するステップは、
前記スケジューリング情報に、関連情報と、スケジューリングされた物理リソースブロックＰＲＢを指示するためのＰＲＢ指示情報と、が含まれる場合、予め記憶された前記関連情報とキャリア指示情報及び帯域幅部分指示情報との間のマッピング関係に基づき、スケジューリング情報内の関連情報に対応するキャリア指示情報及び帯域幅部分指示情報を取得するステップと、
前記キャリア指示情報により指示されるキャリアを前記ターゲットキャリアとするステップと、
前記ターゲットキャリア内の前記帯域幅部分指示情報及び前記ＰＲＢ指示情報に対応する周波数領域リソースを前記ターゲット帯域幅部分とするステップと、を含む。
【００１８】
本発明の実施例の第３の態様によれば、基地局に用いられるクロスキャリアスケジューリング装置が提供され、前記装置は、
スケジューリング情報を端末に送信するように構成される第１の送信モジュールを備え、前記スケジューリング情報は、スケジューリングキャリアを介して少なくとも１つのターゲットキャリア上のターゲット帯域幅部分をクロスキャリアスケジューリングするために使用され、
ここで、前記ターゲットキャリアは、前記スケジューリングキャリアによりスケジューリングされ、且つ少なくとも１つの帯域幅部分が構成されたキャリアであり、前記帯域幅部分は、前記キャリア上で予め指定された周波数領域リソースであり、前記ターゲット帯域幅部分は、前記ターゲットキャリア上の全ての帯域幅部分のうち、前記スケジューリングキャリアによりスケジューリングされた帯域幅部分である。
【００１９】
選択的に、前記送信モジュールは、
ターゲットシグナリングを介してスケジューリング情報を端末に送信するように構成される送信サブモジュールを備え、ここで、前記ターゲットシグナリングには、
無線リソース制御シグナリング、システム情報、メディアアクセス制御アドレス制御ユニット及び物理層シグナリングのうちのいずれか１つが含まれる。
【００２０】
選択的に、前記端末に対して構成された各キャリア上の物理リソースブロックを予め定義された順序で個別に番号付ける場合、前記スケジューリング情報には、
スケジューリングされたキャリアを指示するためのキャリア指示情報と、
スケジューリングされたキャリア内のスケジューリングされた物理リソースブロックＰＲＢを指示するためのＰＲＢ指示情報と、が含まれる。
【００２１】
選択的に、前記端末に対して構成された全てのキャリア上の物理リソースブロックを予め定義された順序で一括して番号付ける場合、前記スケジューリング情報には、
スケジューリングされた物理リソースブロックＰＲＢを指示するためのＰＲＢ指示情報が含まれる。
【００２２】
選択的に、前記端末に対して構成された各キャリア上の物理リソースブロックを予め定義された順序で個別に番号付け、且つ各キャリア上の前記帯域幅部分を物理リソースブロックの単位で予め定義された順序で独立して番号付ける場合、前記スケジューリング情報には、
スケジューリングされたキャリアを指示するためのキャリア指示情報と、
スケジューリングされたキャリア内のスケジューリングされた帯域幅部分を指示するための帯域幅部分指示情報と、
スケジューリングされたキャリア内のスケジューリングされた帯域幅部分内のスケジューリングされた物理リソースブロックＰＲＢを指示するためのＰＲＢ指示情報と、が含まれる。
【００２３】
選択的に、前記キャリア指示情報の情報長値は第１の予定値であり、且つ前記スケジューリング情報内の第１の予定位置に設定され、
前記帯域幅部分指示情報の情報長値は第２の予定値であり、且つ前記スケジューリング情報内の第２の予定位置に設定され、
ここで、前記第１の予定位置と前記第２の予定位置は同じ又は異なる。
【００２４】
選択的に、前記端末に対して構成された各キャリア上の物理リソースブロックを予め定義された順序で個別に番号付け、且つ各キャリア上の前記帯域幅部分を物理リソースブロックの単位で予め定義された順序で独立して番号付ける場合、前記スケジューリング情報には、
関連情報と、
スケジューリングされた物理リソースブロックＰＲＢを指示するためのＰＲＢ指示情報と、が含まれ、
ここで、前記関連情報は、キャリア指示情報及び帯域幅部分スケジューリング情報に関連する情報であり、前記キャリア指示情報は、スケジューリングされたキャリアを指示するための情報であり、前記帯域幅部分指示情報は、スケジューリングされたキャリア内のスケジューリングされた帯域幅部分を指示するための情報である。
【００２５】
選択的に、前記関連情報は、予め定義され、又は前記基地局により前記端末に対して構成されたものであり、
前記関連情報が前記基地局により前記端末に対して構成されたものである場合、前記装置は、
ターゲットシグナリングを介して前記関連情報を前記端末に送信するように構成される第２の送信モジュールをさらに備え、ここで、前記ターゲットシグナリングには、無線リソース制御シグナリング、システム情報、メディアアクセス制御アドレス制御ユニット及び物理層シグナリングのうちのいずれか１つが含まれる。
【００２６】
本発明の実施例の第４の態様によれば、端末に用いられるクロスキャリアスケジューリング装置が提供され、前記装置は、
基地局により送信されたスケジューリング情報を受信するように構成される受信モジュールと、
前記スケジューリング情報に基づいて少なくとも１つのターゲットキャリア上のターゲット帯域幅部分を決定するように構成される決定モジュールと、
前記スケジューリング情報が位置しているスケジューリングキャリアを介して前記ターゲット帯域幅部分をスケジューリングするように構成される帯域幅部分スケジューリングモジュールと、を備え、
ここで、前記ターゲットキャリアは、前記スケジューリングキャリアによりスケジューリングされ、且つ少なくとも１つの帯域幅部分が構成されたキャリアであり、前記帯域幅部分は、前記ターゲットキャリア上で予め指定された周波数領域リソースであり、前記ターゲット帯域幅部分は、前記ターゲットキャリア上の全ての帯域幅部分のうち、前記スケジューリングキャリアによりスケジューリングされた帯域幅部分である。
【００２７】
選択的に、前記決定モジュールは、
前記スケジューリング情報に、スケジューリングされたキャリアを指示するためのキャリア指示情報と、スケジューリングされたキャリア内のスケジューリングされた物理リソースブロックＰＲＢを指示するためのＰＲＢ指示情報と、が含まれる場合、前記キャリア指示情報により指示されるキャリアを前記ターゲットキャリアとするように構成される第１の決定サブモジュールと、
前記ターゲットキャリア内の前記ＰＲＢ指示情報に対応する周波数領域リソースを前記ターゲット帯域幅部分とするように構成される第２の決定サブモジュールと、を備える。
【００２８】
選択的に、前記決定モジュールは、
前記スケジューリング情報に、スケジューリングされた物理リソースブロックＰＲＢのＰＲＢ指示情報が含まれる場合、前記ＰＲＢ指示情報に対応する周波数領域リソースを前記ターゲット帯域幅部分とするように構成される第３の決定サブモジュールを備える。
【００２９】
選択的に、前記決定モジュールは、
前記スケジューリング情報に、ケジューリングされたキャリアを指示するためのキャリア指示情報と、スケジューリングされたキャリア内のスケジューリングされた帯域幅部分を指示するための帯域幅部分指示情報と、スケジューリングされたキャリア内のスケジューリングされた帯域幅部分内のスケジューリングされた物理リソースブロックＰＲＢを指示するためのＰＲＢ指示情報と、が含まれる場合、前記キャリア指示情報により指示されるキャリアを前記ターゲットキャリアとするように構成される第４の決定サブモジュールと、
前記ターゲットキャリア内の前記帯域幅部分指示情報及び前記ＰＲＢ指示情報に対応する周波数領域リソースを前記ターゲット帯域幅部分とするように構成される第５の決定サブモジュールと、を備える。
【００３０】
選択的に、前記決定モジュールは、
前記スケジューリング情報に、関連情報と、スケジューリングされた物理リソースブロックＰＲＢを指示するためのＰＲＢ指示情報と、が含まれる場合、予め記憶された前記関連情報とキャリア指示情報及び帯域幅部分指示情報との間のマッピング関係に基づき、スケジューリング情報内の関連情報に対応するキャリア指示情報及び帯域幅部分指示情報を取得するように構成される第６の決定サブモジュールと、
前記キャリア指示情報により指示されるキャリアを前記ターゲットキャリアとするように構成される第７の決定サブモジュールと、
前記ターゲットキャリア内の前記帯域幅部分指示情報及び前記ＰＲＢ指示情報に対応する周波数領域リソースを前記ターゲット帯域幅部分とするように構成される第８の決定サブモジュールと、を備える。
【００３１】
本発明の実施例の第５の態様によれば、コンピュータプログラムが記憶されたコンピュータ読み取り可能な記録媒体が提供され、前記コンピュータプログラムは、上記の第１の態様に記載のクロスキャリアスケジューリング方法を実行するために使用される。
【００３２】
本発明の実施例の第６の態様によれば、コンピュータプログラムが記憶されたコンピュータ読み取り可能な記録媒体が提供され、前記コンピュータプログラムは、上記の第２の態様に記載のクロスキャリアスケジューリング方法を実行するために使用される。
【００３３】
本発明の実施例の第７の態様によれば、基地局に用いられるクロスキャリアスケジューリング装置が提供され、前記装置は、
プロセッサーと、
プロセッサーで実行可能な命令を記憶するためのメモリと、を備え、
ここで、前記プロセッサーは、
スケジューリング情報を端末に送信するように構成され、前記スケジューリング情報は、スケジューリングキャリアを介して少なくとも１つのターゲットキャリア上のターゲット帯域幅部分をクロスキャリアスケジューリングするために使用され、
ここで、前記ターゲットキャリアは、前記スケジューリングキャリアによりスケジューリングされ、且つ少なくとも１つの帯域幅部分が構成されたキャリアであり、前記帯域幅部分は、前記キャリア上で予め指定された周波数領域リソースであり、前記ターゲット帯域幅部分は、前記ターゲットキャリア上の全ての帯域幅部分のうち、前記スケジューリングキャリアによりスケジューリングされた帯域幅部分である。
【００３４】
本発明の実施例の第８の態様によれば、端末に用いられるクロスキャリアスケジューリング装置が提供され、前記装置は、
プロセッサーと、
プロセッサーで実行可能な命令を記憶するためのメモリと、を備え、
ここで、前記プロセッサーは、
基地局により送信されたスケジューリング情報を受信し、
前記スケジューリング情報に基づいて少なくとも１つのターゲットキャリア上のターゲット帯域幅部分を決定し、
前記スケジューリング情報が位置しているスケジューリングキャリアを介して前記ターゲット帯域幅部分をスケジューリングするように構成され、
ここで、前記ターゲットキャリアは、前記スケジューリングキャリアによりスケジューリングされ、且つ少なくとも１つの帯域幅部分が構成されたキャリアであり、前記帯域幅部分は、前記ターゲットキャリア上で予め指定された周波数領域リソースであり、前記ターゲット帯域幅部分は、前記ターゲットキャリア上の全ての帯域幅部分のうち、前記スケジューリングキャリアによりスケジューリングされた帯域幅部分である。
【００３５】
（発明の効果）
本発明に提供された技術案によれば、以下のような技術効果が奏される。
【００３６】
本発明の実施例では、基地局は、スケジューリング情報を端末に送信することができ、このスケジューリング情報は、スケジューリングキャリアを介して少なくとも１つのターゲットキャリア上のターゲット帯域幅部分をスケジューリングするために使用されることができる。ここで、ターゲットキャリアは、前記スケジューリングキャリアによりスケジューリングされ、且つ少なくとも１つの帯域幅部分が構成されたキャリアであり、前記帯域幅部分は、前記ターゲットキャリア上で予め指定された周波数領域リソースであり、前記ターゲット帯域幅部分は、前記ターゲットキャリア上の全ての帯域幅部分のうち、前記スケジューリングキャリアによりスケジューリングされた帯域幅部分である。上記のプロセスによれば、スケジューリングキャリアにより少なくとも１つのターゲットキャリア上のターゲット帯域幅部分をスケジューリングすることができ、クロスキャリアスケジューリングを実現するとともに、少なくとも１つの帯域幅部分が構成されたターゲットキャリアに対してクロス帯域幅部分スケジューリングを行うことができ、これにより、スケジューリングの方式をより円滑にする。また、クロス帯域幅部分スケジューリングを行うとき、キャリア上の異なる帯域幅部分のリソースを十分に利用することができ、制御シグナリングのブロッキング確率が低減される。
【００３７】
本発明の実施例では、基地局は、ターゲットシグナリングを介してスケジューリング情報を端末に送信することができ、ここで、前記ターゲットシグナリングには、無線リソース制御シグナリング、システム情報、メディアアクセス制御アドレス制御ユニット及び物理層シグナリングのうちのいずれか１つが含まれる。実現が簡単で可用性が高い。
【００３８】
本発明の実施例では、基地局が、端末に対して構成された各キャリア上の物理リソースブロックを予め定義された順序で個別に番号付ける場合、スケジューリング情報には、スケジューリングされたキャリアを指示するためのキャリア指示情報と、スケジューリングされたキャリア内のスケジューリングされた物理リソースブロックＰＲＢを指示するためのＰＲＢ指示情報と、が含まれてもよい。端末側では、キャリア指示情報を介してターゲットキャリアを決定し、さらに、ターゲットキャリア上で前記ＰＲＢ指示情報に基づいて前記ターゲットキャリア内のスケジューリングされたターゲット帯域幅部分を決定することができる。上記のプロセスによれば、端末に対して構成された各キャリア上の物理リソースブロックを予め定義された順序で個別に番号付ける場合、スケジューリング情報に含まれるキャリア指示情報及びＰＲＢ指示情報を介して、端末がスケジューリングされたターゲット帯域幅部分を決定できるようにすることができる。結局、少なくとも１つの帯域幅部分が構成されたターゲットキャリアに対してクロス帯域幅部分スケジューリングを行う目的を実現する。
【００３９】
本発明の実施例では、基地局が、前記端末に対して構成された全てのキャリア上の物理リソースブロックを予め定義された順序で一括して番号付ける場合、スケジューリング情報には、スケジューリングされた物理リソースブロックＰＲＢを指示するためのＰＲＢ指示情報のみが含まれればよい。全てのキャリアを予め定義された順序で一括して番号付けているため、端末は、ＰＲＢ指示情報に基づいてスケジューリングされたターゲット帯域幅部分を決定することができ、結局、少なくとも１つの帯域幅部分が構成されたターゲットキャリアに対してクロス帯域幅部分スケジューリングを行う目的を実現する。
【００４０】
本発明の実施例では、基地局が、前記端末に対して構成された各キャリア上の物理リソースブロックを予め定義された順序で個別に番号付け、且つ各キャリア上の前記帯域幅部分を物理リソースブロックの単位で予め定義された順序で独立して番号付ける場合、前記スケジューリング情報には、スケジューリングされたキャリアを指示するためのキャリア指示情報と、スケジューリングされたキャリア内のスケジューリングされた帯域幅部分を指示するための帯域幅部分指示情報と、スケジューリングされたキャリア内のスケジューリングされた帯域幅部分内のスケジューリングされた物理リソースブロックＰＲＢを指示するためのＰＲＢ指示情報と、が含まれる必要がある。端末は、まずキャリア指示情報に基づいてターゲットキャリアを決定した後、帯域幅部分指示情報及び前記ＰＲＢ指示情報に基づき、前記ターゲットキャリア内でスケジューリングされる必要があるターゲット帯域幅部分を決定し、これにより、少なくとも１つの帯域幅部分が構成されたターゲットキャリアに対してクロス帯域幅部分スケジューリングを行う目的を実現する。
【００４１】
本発明の実施例では、スケジューリング情報にキャリア指示情報及び帯域幅部分指示情報が含まれる場合、キャリア指示情報の情報長値は第１の予定値であり、且つ前記スケジューリング情報内の第１の予定位置に設定され、前記帯域幅部分指示情報の情報長値は第２の予定値であり、且つ前記スケジューリング情報内の第２の予定位置に設定され、ここで、前記第１の予定位置と前記第２の予定位置は同じ又は異なる。つまり、キャリア指示情報及び帯域幅部分指示情報の情報長値はいずれも予定値であり、且つスケジューリング情報内の予定位置に設定される。もちろん、キャリア指示情報及び帯域幅部分指示情報は、独立した符号化の方式で前記スケジューリング情報の異なる領域でそれぞれ運搬されてもよいし、ジョイント符号化の方式で前記スケジューリング情報の同一の領域で運搬されてもよい。これにより、スケジューリング情報の構成をより円滑にする。
【００４２】
本発明の実施例では、基地局が、前記端末に対して構成された各キャリア上の物理リソースブロックを予め定義された順序で個別に番号付け、且つ各キャリア上の前記帯域幅部分を物理リソースブロックの単位で予め定義された順序で独立して番号付ける場合、スケジューリング情報には、関連情報と、スケジューリングされた物理リソースブロックＰＲＢを指示するためのＰＲＢ指示情報と、がさらに含まれてもよい。ここで、前記関連情報は、キャリア指示情報及び帯域幅部分スケジューリング情報に関連する情報であり、前記キャリア指示情報は、スケジューリングされたキャリアを指示するための情報であり、前記帯域幅部分指示情報は、スケジューリングされた帯域幅部分を指示するための情報である。端末は、予め記憶された関連情報とキャリア指示情報及び帯域幅部分指示情報との間のマッピング関係に基づき、スケジューリング情報内の関連情報に対応するキャリア指示情報及び帯域幅部分指示情報を決定することができ、これにより、キャリア指示情報に基づいてターゲットキャリアを決定した後、帯域幅部分指示情報及び前記ＰＲＢ指示情報に基づいて前記ターゲットキャリア内でターゲット帯域幅部分を決定し、同様に、少なくとも１つの帯域幅部分が構成されたターゲットキャリアに対してクロス帯域幅部分スケジューリングを行う目的を実現する。
【００４３】
本発明の実施例では、上記の関連情報は、予め定義されたものであってもよいし、基地局により端末に対して構成されたものであってもよく、基地局により端末に対して構成される場合、基地局は、端末が関連情報に予め記憶された関連情報とキャリア指示情報及び帯域幅部分指示情報との間のマッピング関係に基づき、スケジューリング情報内の関連情報に対応するキャリア指示情報及び帯域幅部分指示情報を決定できるように、ターゲットシグナリングを介して関連情報を端末に送信することができ、これにより、キャリア指示情報に基づいてターゲットキャリアを決定する。可用性が高い。
【００４４】
本発明の実施例では、端末は、基地局により送信されたスケジューリング情報を受信した後、このスケジューリング情報に基づいて少なくとも１つのターゲットキャリア上のターゲット帯域幅部分を決定し、これにより、前記スケジューリング情報が位置しているスケジューリングキャリアを介して前記ターゲット帯域幅部分をスケジューリングする。ここで、前記ターゲットキャリアは、前記スケジューリングキャリアによりスケジューリングされ、且つ少なくとも１つの帯域幅部分が構成されたキャリアであり、前記帯域幅部分は、前記ターゲットキャリア上で予め指定された周波数領域リソースであり、前記ターゲット帯域幅部分は、前記ターゲットキャリア上の全ての帯域幅部分のうち、前記スケジューリングキャリアによりスケジューリングされた帯域幅部分である。上記のプロセスによれば、スケジューリングキャリアにより少なくとも１つのターゲットキャリア上のターゲット帯域幅部分をスケジューリングすることができ、クロスキャリアスケジューリングを実現するとともに、少なくとも１つの帯域幅部分が構成されたターゲットキャリアに対してクロス帯域幅部分スケジューリングを行うことができ、これにより、スケジューリングの方式をより円滑にする。また、クロス帯域幅部分でスケジューリングを行うとき、キャリア上の異なる帯域幅部分のリソースを十分に利用することができ、制御シグナリングのブロッキング確率が低減される。
【００４５】
なお、前記一般的な記載及び後述の詳細な記載は、単なる例示的で解釈的な記載であり、本発明を限定しない。
【図面の簡単な説明】
【００４６】
ここの図面は、明細書に組み入れて本明細書の一部分を構成し、本発明に該当する実施例を例示するとともに、明細書とともに本発明の原理を解釈する。
【図１】一例示的な実施例に係るクロスキャリアスケジューリングシナリオを示す模式図である。
【図２Ａ−２Ｂ】一例示的な実施例に係るクロスキャリアスケジューリング方法を示すフローチャートである。
【図３Ａ−３Ｃ】一例示的な実施例に係るクロスキャリアスケジューリングシナリオを示す模式図である。
【図４】一例示的な実施例に係る別のクロスキャリアスケジューリング方法を示すフローチャートである。
【図５】一例示的な実施例に係る別のクロスキャリアスケジューリング方法を示すフローチャートである。
【図６】一例示的な実施例に係る別のクロスキャリアスケジューリング方法を示すフローチャートである。
【図７】一例示的な実施例に係る別のクロスキャリアスケジューリング方法を示すフローチャートである。
【図８】一例示的な実施例に係る別のクロスキャリアスケジューリング方法を示すフローチャートである。
【図９】一例示的な実施例に係るクロスキャリアスケジューリング装置を示すブロック図である。
【図１０】一例示的な実施例に係る別のクロスキャリアスケジューリング装置を示すブロック図である。
【図１１】一例示的な実施例に係る別のクロスキャリアスケジューリング装置を示すブロック図である。
【図１２】一例示的な実施例に係る別のクロスキャリアスケジューリング装置を示すブロック図である。
【図１３】一例示的な実施例に係る別のクロスキャリアスケジューリング装置を示すブロック図である。
【図１４】一例示的な実施例に係る別のクロスキャリアスケジューリング装置を示すブロック図である。
【図１５】一例示的な実施例に係る別のクロスキャリアスケジューリング装置を示すブロック図である。
【図１６】一例示的な実施例に係る別のクロスキャリアスケジューリング装置を示すブロック図である。
【図１７】本発明の一例示的な実施例に係るクロスキャリアスケジューリングのための装置を示す一構造模式図である。
【図１８】本発明の一例示的な実施例に係るクロスキャリアスケジューリングのための別の装置を示す一構造模式図である。
【発明を実施するための形態】
【００４７】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施形態に記載の実施例は、本発明と一致する全ての実施例を代表するものではない。即ち、それらは、特許請求の範囲に記載の本発明のある側面に一致する装置及び方法の例に過ぎない。
【００４８】
本発明に記載の用語は、特定の実施例を説明する目的で使用されるものに過ぎず、本発明を限定するものではない。本発明及び添付された特許請求の範囲に記載の単数形式の「１種類」、「前記」及び「当該」は、前後の文章においてそれぞれ他の意味を含有すると明確に記載される以外には、複数の形式も含む。なお、本発明に記載の「及び／又は」は、挙げられる事項の１つ又は複数の何れ又は全ての組み合わせを意味する。
【００４９】
また、本発明は、第１、第２、第３等の用語を使って各種の情報を説明するが、それらの情報は上記用語に限定されない。それらの用語は、同一種類の情報同士を区分するためのものに過ぎない。例えば、本発明の範囲から逸脱しない状況で、第１の情報を第２の情報と称しても良い。同じように、第２の情報を第１の情報と称してもよい。ここで使っている用語「……場合」は、上下文の意味によって、「……時」或は「……と」又は「確定に応じる」に解釈されてもよい。
【００５０】
異種ネットワークでは、図１に示すように、マクロ基地局及び小型基地局は、２つのダウンリンクＣＣ（Ｃａｒｒｉｅｒ  Ｃｏｍｐｏｎｅｎｔ、キャリアコンポーネント）を共有することができ、ＣＣ１及びＣＣ２であると仮定する。小型基地局の２つのＣＣはいずれも低伝送電力で作動し、マクロ基地局のＣＣ１は高伝送電力で作動し、ＣＣ２は低伝送電力で作動する。特に、小型基地局で範囲拡張（Ｒａｎｇｅ  Ｅｘｔｅｎｓｉｏｎ）技術が使用される場合、範囲拡張領域内でのマクロ基地局のＣＣ１上での伝送は、小型基地局のＣＣ１に対して非常に大きな干渉を有し、マクロ基地局のＣＣ２上での伝送は、伝送電力が比較的低いため、小型基地局に対する干渉も相対的に弱い。したがって、小型基地局で、ＣＣ２上のＰＤＣＣＨを使用してＣＣ１上のデータをクロスキャリアスケジューリングすることで、ダウンリンク制御シグナリングの信頼性を向上することができ、マクロ基地局は、ＣＣ２上でＰＤＣＣＨを送信せず、ＣＣ１を使用してＣＣ２上のデータ伝送をクロスキャリアスケジューリングしてもよい。
【００５１】
上記のクロスキャリアスケジューリングのシナリオでは、スケジューリング情報を運搬するスケジューリングキャリアを介して他の少なくとも１つのキャリアをクロスキャリアスケジューリングすることができ、例えば、図２Ａに示すとおりである。各キャリア上では少なくとも１つの帯域幅部分がサポートされることができ、図２Ｂに示すように、ここで、前記帯域幅部分は、キャリア上で予め指定された周波数領域リソースである。
【００５２】
クロス帯域幅部分のスケジューリングを実現するために、本発明の実施例によれば、基地局に用いられるクロスキャリアスケジューリング方法が提供され、前記方法は、下記のステップを含む。
【００５３】
ステップ１０１において、スケジューリング情報を端末に送信し、前記スケジューリング情報は、スケジューリングキャリアを介して少なくとも１つのターゲットキャリア上のターゲット帯域幅部分をクロスキャリアスケジューリングするために使用され、
ここで、前記ターゲットキャリアは、前記スケジューリングキャリアによりスケジューリングされ、且つ少なくとも１つの帯域幅部分が構成されたキャリアであり、前記帯域幅部分は、前記キャリア上で予め指定された周波数領域リソースであり、前記ターゲット帯域幅部分は、前記ターゲットキャリア上の全ての帯域幅部分のうち、前記スケジューリングキャリアによりスケジューリングされた帯域幅部分である。
【００５４】
上記の実施例では、基地局は、スケジューリング情報を端末に送信し、このスケジューリング情報は、スケジューリングキャリアを介して少なくとも１つのターゲットキャリア上のターゲット帯域幅部分をスケジューリングするために使用されることができる。ここで、ターゲットキャリアは、前記スケジューリングキャリアによりスケジューリングされ、且つ少なくとも１つの帯域幅部分が構成されたキャリアであり、前記帯域幅部分は、前記ターゲットキャリア上で予め指定された周波数領域リソースであり、前記ターゲット帯域幅部分は、前記ターゲットキャリア上の全ての帯域幅部分のうち、前記スケジューリングキャリアによりスケジューリングされた帯域幅部分である。上記のプロセスによれば、スケジューリングキャリアにより少なくとも１つのターゲットキャリア上のターゲット帯域幅部分をスケジューリングすることができ、クロスキャリアスケジューリングを実現するとともに、少なくとも１つの帯域幅部分が構成されたターゲットキャリアに対してクロス帯域幅部分スケジューリングを行うことができ、これにより、スケジューリングの方式をより円滑にする。また、クロス帯域幅部分スケジューリングを行うとき、キャリア上の異なる帯域幅部分のリソースを十分に利用することができ、制御シグナリングのブロッキング確率が低減される。上記のステップ１０１については、基地局は、クロスキャリアスケジューリングが必要であると決定されたとき、ターゲットシグナリングを介してスケジューリング情報を端末に送信することができる。選択的に、前記ターゲットシグナリングには、無線リソース制御シグナリング、システム情報、メディアアクセス制御アドレス制御ユニット及び物理層シグナリングのうちのいずれか１つが含まれてもよい。本発明の実施例では、異種システム内の制御チャネル上の干渉を回避し、及び異なるキャリア上の制御領域の負荷分散のために、基地局は、クロスキャリアスケジューリングが現在必要であると決定することができる。ここで、キャリア上の制御領域は、制御情報が時間領域及び周波数領域上にマッピングされる領域であり、前記制御情報は、ＰＤＣＣＨ、ＰＩＣＨ（Ｐａｇｉｎｇ  Ｉｎｄｉｃａｔｏｒ  Ｃｈａｎｎｅｌ、ページングインジケータチャネル）等であってもよい。
【００５５】
前記スケジューリング情報は、スケジューリングキャリアを介して少なくとも１つのターゲットキャリア上のターゲット帯域幅部分をクロスキャリアスケジューリングするために使用される。前記スケジューリングキャリアは、スケジューリング情報が位置しているキャリアであり、ターゲットキャリアは、前記スケジューリングキャリアによりスケジューリングされ、且つ少なくとも１つの帯域幅部分が構成されたキャリアであり、前記帯域幅部分は、前記キャリア上で予め指定された周波数領域リソースであり、前記ターゲット帯域幅部分は、前記ターゲットキャリア上の全ての帯域幅部分のうち、前記スケジューリングキャリアによりスケジューリングされた帯域幅部分である。
【００５６】
さらに、基地局は、ターゲットシグナリングを介して前記スケジューリング情報に対応する情報を端末に送信することができる。選択的に、前記スケジューリング情報に複数の情報が含まれる場合、１つのターゲットシグナリングを介して全てのスケジューリング情報を端末に一括して送信してもよいし、異なるターゲットシグナリングを介して異なるスケジューリング情報を端末に別個に送信してもよい。本発明の実施例では、基地局は、ＰＲＢ（Ｐｈｙｓｉｃａｌ  Ｒｅｓｏｕｒｃｅ  Ｂｌｏｃｋ、物理リソースブロック）を異なる方式で番号付けることができ、異なるＰＲＢ番号付け方式によって、スケジューリング情報に含まれる情報も異なる。
【００５７】
本発明では、周波数領域上のスケジューリング単位はＰＲＢを粒度としており、同様な原理に基づき、本発明に係る方法は、他の粒度の周波数領域上のスケジューリング単位にも適用され、例えば、複数のＰＲＢバンドルを基本的な周波数領域上のスケジューリング単位とする。どのスケジューリング単位が使用されても、それは本発明の実施例の保護範囲に属する。
【００５８】
第１の方式において、基地局は、前記端末に対して構成された各キャリア上の物理リソースブロックを予め定義された順序で個別に番号付ける。
【００５９】
この方式で、基地局は、同一の端末の各キャリア上のＰＲＢに対し、予め定義された順序、例えば、昇順で個別に番号付けることができる。例えば、図３Ａに示すように、スケジューリングされた２つのキャリアのキャリア１及びキャリア２上のＰＲＢに対してそれぞれ昇順で番号付ける。
【００６０】
相応に、スケジューリング情報には、スケジューリングされたキャリアを指示するためのキャリア指示情報と、スケジューリングされたキャリア内のスケジューリングされた物理リソースブロックＰＲＢを指示するためのＰＲＢ指示情報と、が含まれてもよい。
【００６１】
選択的に、前記キャリア指示情報はキャリア番号であってもよい。
【００６２】
前記ＰＲＢ指示情報は、スケジューリングされたキャリア内のスケジューリングされたＰＲＢの現在のキャリアでの番号であってもよく、スケジューリングされたＰＲＢの数が複数である場合、前記ＰＲＢ指示情報には、スケジューリングされたキャリア内の全てのスケジューリングされたＰＲＢの番号が含まれてもよい。又は、スケジューリングされたＰＲＢが連続的である場合、前記ＰＲＢ指示情報には、スケジューリングされたキャリア内の最初にスケジューリングされたＰＲＢの番号と、スケジューリングされたＰＲＢの数と、がさらに含まれてもよく、又は、スケジューリングされたＰＲＢが連続的である場合、前記ＰＲＢ指示情報には、最初のＰＲＢの番号及び最後のＰＲＢの番号がさらに含まれてもよい。
【００６３】
例えば、ＰＲＢ指示情報には、最初のＰＲＢの番号２及びスケジューリングされたＰＲＢの数４が含まれてもよく、この場合、端末側は、最初のＰＲＢの番号２及びスケジューリングされたＰＲＢの数４に基づき、スケジューリングされたキャリア内のスケジューリングされたＰＲＢがそれぞれＰＲＢ２、ＰＲＢ３、ＰＲＢ４及びＰＲＢ５であると決定することができる。
【００６４】
スケジューリングされたＰＲＢの数が複数であるが連続的でない場合、前記ＰＲＢ指示情報には、スケジューリングされたキャリア内の全てのスケジューリングされたＰＲＢの番号が含まれてもよい。又は、スケジューリングされたＰＲＢが予め定義された方式で間隔を空ける場合、ＰＲＢ指示情報には、最初にスケジューリングされたＰＲＢの番号と、スケジューリングされたＰＲＢの数と、が含まれてもよい。もちろん、スケジューリングされたＰＲＢが予め定義された方式で間隔を空ける場合、ＰＲＢ指示情報には、最初にスケジューリングされたＰＲＢの番号と、最後にスケジューリングされたＰＲＢの数と、がさらに含まれてもよい。
【００６５】
例えば、ＰＲＢ指示情報には、最初のＰＲＢの番号２及び最後にスケジューリングされたＰＲＢの番号８が含まれてもよく、スケジューリングされた隣接する２つのＰＲＢの間に１つのＰＲＢが存在する場合、端末側は、スケジューリングされたキャリア内のスケジューリングされたＰＲＢがそれぞれＰＲＢ２、ＰＲＢ４、ＰＲＢ６及びＰＲＢ８であると決定することができる。
【００６６】
本発明の実施例では、前記ＰＲＢ指示情報に含まれるコンテンツは、以上のコンテンツに限定されず、端末がスケジューリングされたＰＲＢのＰＲＢ指示情報を決定できるようにする他のいずれのコンテンツは、本発明の実施例の保護範囲に属する。
【００６７】
端末側は、スケジューリング情報内のキャリア指示情報に基づいてターゲットキャリアを決定することができ、さらに、基地局は、各キャリア上のＰＲＢに従って番号付けるため、ターゲットキャリアを決定した後、ＰＲＢ指示情報に基づいてターゲットキャリア内のターゲット帯域幅部分を決定することができる。
【００６８】
第２の方式において、基地局は、前記端末に対して構成された全てのキャリア上の物理リソースブロックを予め定義された順序で一括して番号付ける。
【００６９】
この方式で、基地局は、端末に対して構成された全てのキャリア上の全てのＰＲＢを予め定義された順序、例えば、昇順で番号付ける。図３Ｂに示すように、スケジューリングされた２つのキャリアのキャリア１及びキャリア２上の全てのＰＲＢに対して一括して昇順で番号付ける。
【００７０】
相応に、スケジューリング情報には、スケジューリングされた物理リソースブロックＰＲＢを指示するためのＰＲＢ指示情報のみが含まれてもよい。基地局は、前記端末に対して構成された全てのキャリア上のＰＲＢに対して一括して番号付けるため、端末は、ＰＲＢ指示情報に基づき、スケジューリングされたターゲット帯域幅部分を直接見つけることができる。
【００７１】
第３の方式において、基地局は、前記端末に対して構成された各キャリア上の物理リソースブロックを予め定義された順序で個別に番号付け、且つ各キャリア上の前記帯域幅部分を物理リソースブロックの単位で予め定義された順序で独立して番号付ける。
【００７２】
この方式で、基地局は、各キャリア上のＰＲＢに対して予め定義された順序、例えば、昇順で個別に番号付けるだけでなく、また、各キャリア上の帯域幅部分に対して物理リソースブロックの単位で予め定義された順序、例えば、昇順で独立して番号付ける。例えば、図３Ｃに示すように、スケジューリングされた２つのキャリアのキャリア１及びキャリア２上のＰＲＢに対して個別に番号付け、且つ各キャリア上の帯域幅部分に対して物理リソースブロックの単位で昇順で独立して番号付ける。
【００７３】
相応に、前記スケジューリング情報には、前記キャリア指示情報と、スケジューリングされたキャリア内のスケジューリングされた帯域幅部分を指示するための帯域幅部分指示情報と、スケジューリングされたキャリア内のスケジューリングされた帯域幅部分内のスケジューリングされた物理リソースブロックＰＲＢを指示するためのＰＲＢ指示情報と、が含まれる必要がある。
【００７４】
端末側では、キャリア指示情報に基づいてターゲットキャリアを決定し、さらに、前記帯域幅部分指示情報及び前記ＰＲＢ指示情報に基づいてターゲットキャリア内でターゲット帯域幅部分を決定することができる。
【００７５】
上記の実施例では、選択的に、キャリア指示情報及び帯域幅部分指示情報は、独立して符号化され、又は一括してジョイント符号化されてもよい。キャリア指示情報の情報長値は、第１の予定値であり、且つ前記スケジューリング情報内の第１の予定位置に設定されてもよく、帯域幅部分指示情報の情報長値は、第２の予定値であり、且つ前記スケジューリング情報内の第２の予定位置に設定されてもよく、ここで、前記第１の予定位置と前記第２の予定位置は同じ又は異なる。
【００７６】
つまり、キャリア指示情報及び帯域幅部分指示情報の情報長値は、いずれも予定値であり、且つスケジューリング情報内の予定位置に設定される。もちろん、キャリア指示情報及び帯域幅部分指示情報は、独立した符号化の方式で前記スケジューリング情報の異なる領域でそれぞれ運搬されてもよいし、ジョイント符号化の方式で前記スケジューリング情報の同一の領域で運搬されてもよい。これにより、スケジューリング情報の構成をより円滑にし、且つ端末側は、スケジューリング情報の予定位置で、キャリア指示情報及び帯域幅部分指示情報のそれぞれに対応する予め設定された情報長値に基づいてキャリア指示情報及び帯域幅部分指示情報を解析することができる。
【００７７】
上記の第３の方式では、キャリア指示情報及び帯域幅部分指示情報は、スケジューリング情報に直接含まれることができる。選択的に、キャリア指示情報及び帯域幅部分指示情報はまた、他の方式でスケジューリング情報に含まれてもよい。例えば、スケジューリング情報には、関連情報と、スケジューリングされた物理リソースブロックＰＲＢを指示するためのＰＲＢ指示情報と、が含まれてもよく、ここで、前記関連情報は、キャリア指示情報及び帯域幅部分スケジューリング情報に関連する情報であり、前記キャリア指示情報は、スケジューリングされたキャリアを指示するための情報であり、前記帯域幅部分指示情報は、スケジューリングされたキャリア内のスケジューリングされた帯域幅部分を指示するための情報である。
【００７８】
上記の関連情報は、予め定義され、又は基地局により前記端末に対して構成されたものであってもよい。基地局により端末に対して構成される場合、前記基地局は、後続で端末が前記関連情報に基づいてキャリア指示情報及び帯域幅部分指示情報を決定できるように、前記ターゲットシグナリングのうちのいずれか１つを介して構成された関連情報を端末に通知することができる。
【００７９】
ここで、前記ターゲットシグナリングは、無線リソース制御シグナリング、システム情報、メディアアクセス制御アドレス制御ユニット及び物理層シグナリングのうちのいずれか１つであってもよい。
【００８０】
本発明の実施例では、選択的に、前記関連情報は、予め定義されたスクランブリングシーケンスセットであってもよく、このスクランブリングシーケンスセット内の各スクランブリングシーケンスとキャリア指示情報及び帯域幅部分指示情報は、１対１の対応関係を有する。
【００８１】
基地局側が予め定義されたスクランブリングシーケンスセット内のいずれか１つを介してスクランブリングを行った後、端末側は、予め定義されたこのスクランブリングシーケンスセットを介して順次でデスクランブルを試みることができ、デスクランブルに成功したスクランブリングシーケンスをスケジューリング情報に含まれる関連情報とすることができる。
【００８２】
端末側は、関連情報とキャリア指示情報及び帯域幅部分指示情報との間のマッピング関係を予め記憶することができ、端末は、上記のスケジューリング情報が受信された後、前記マッピング関係に基づき、スケジューリング情報内の関連情報に対応するキャリア指示情報及び帯域幅部分指示情報を決定することができ、同様に、キャリア指示情報に基づいてターゲットキャリアを決定した後、帯域幅部分指示情報及び前記ＰＲＢ指示情報に基づいてターゲットキャリア内でターゲット帯域幅部分を決定する。
【００８３】
上記の実施例では、少なくとも１つの帯域幅部分が構成されたターゲットキャリアに対してクロス帯域幅部分スケジューリングを行う目的を実現するために、基地局が前記端末に対して構成されたキャリア上のＰＲＢに対して番号付ける方式によって、スケジューリング情報に含まれるコンテンツを決定することができる。
【００８４】
もちろん、本発明の実施例では、各キャリア上で構成される帯域幅部分の数は少なくとも１つであってもよく、同一のキャリアの異なる帯域幅部分は周波数領域上で連続的又は不連続的であってもよく、異なるキャリア上で構成される帯域幅部分の数は同じ又は異なっていてもよい。
【００８５】
図４を参照すると、図４は、一例示的な実施例に係る端末に用いられるクロスキャリアスケジューリング方法を示すフローチャートであり、前記方法は、下記のステップを含む。
【００８６】
ステップ２０１において、基地局により送信されたスケジューリング情報を受信する。
【００８７】
ステップ２０２において、前記スケジューリング情報に基づいて少なくとも１つのターゲットキャリア上のターゲット帯域幅部分を決定する。
【００８８】
ステップ２０３において、前記スケジューリング情報が位置しているスケジューリングキャリアを介して前記ターゲット帯域幅部分をスケジューリングする。
【００８９】
ここで、前記ターゲットキャリアは、前記スケジューリングキャリアによりスケジューリングされ、且つ少なくとも１つの帯域幅部分が構成されたキャリアであり、前記帯域幅部分は、前記ターゲットキャリア上で予め指定された周波数領域リソースであり、前記ターゲット帯域幅部分は、前記ターゲットキャリア上の全ての帯域幅部分のうち、前記スケジューリングキャリアによりスケジューリングされた帯域幅部分である。
【００９０】
上記の実施例では、端末は、基地局により送信されたスケジューリング情報を受信した後、このスケジューリング情報に基づいて少なくとも１つのターゲットキャリア上のターゲット帯域幅部分を決定し、これにより、前記スケジューリング情報が位置しているスケジューリングキャリアを介して前記ターゲット帯域幅部分をスケジューリングする。ここで、前記ターゲットキャリアは、前記スケジューリングキャリアによりスケジューリングされ、且つ少なくとも１つの帯域幅部分が構成されたキャリアであり、前記帯域幅部分は、前記ターゲットキャリア上で予め指定された周波数領域リソースであり、前記ターゲット帯域幅部分は、前記ターゲットキャリア上の全ての帯域幅部分のうち、前記スケジューリングキャリアによりスケジューリングされた帯域幅部分である。上記のプロセスによれば、スケジューリングキャリアにより少なくとも１つのターゲットキャリア上のターゲット帯域幅部分をスケジューリングすることができ、クロスキャリアスケジューリングを実現するとともに、少なくとも１つの帯域幅部分が構成されたターゲットキャリアに対してクロス帯域幅部分スケジューリングを行うことができ、これにより、スケジューリングの方式をより円滑にする。また、クロス帯域幅部分でスケジューリングを行うとき、キャリア上の異なる帯域幅部分のリソースを十分に利用することができ、制御シグナリングのブロッキング確率が低減される。
【００９１】
上記のステップ２０１については、基地局は、ターゲットシグナリングを介してスケジューリング情報を端末に送信することができ、前記端末は、直接受信すればよい。ここで、前記ターゲットシグナリングは、無線リソース制御シグナリング、システム情報、メディアアクセス制御アドレス制御ユニット及び物理層シグナリングのうちのいずれか１つであってもよい。
【００９２】
スケジューリング情報に複数の情報が含まれる場合、基地局は、１つのターゲットシグナリングを介して全てのスケジューリング情報を送信してもよいし、異なるターゲットシグナリングを介して異なるスケジューリング情報を別個に送信してもよい。
【００９３】
上記のステップ２０２については、端末は、基地局がキャリア上のＰＲＢに対して番号付ける方式、及びスケジューリング情報に含まれる情報によってターゲット帯域幅部分を決定することができる。
【００９４】
基地局が、前記端末に対して構成された各キャリア上の物理リソースブロックを予め定義された順序で個別に番号付ける場合、スケジューリング情報には、スケジューリングされたキャリアを指示するためのキャリア指示情報と、スケジューリングされたキャリア内のスケジューリングされた物理リソースブロックＰＲＢを指示するためのＰＲＢ指示情報と、が含まれる。図５を参照すると、図５は、図４に示す実施例に係る別のクロスキャリアスケジューリング方法を示すフローチャートであり、ステップ２０２は、下記のステップを含んでもよい。
【００９５】
ステップ２０２−１１において、前記キャリア指示情報により指示されるキャリアを前記ターゲットキャリアとする。
【００９６】
本ステップでは、端末は、キャリア指示情報により指示されるキャリアを直接にターゲットキャリアとすることができる。
【００９７】
ステップ２０２−１２において、前記ターゲットキャリア内の前記ＰＲＢ指示情報に対応する周波数領域リソースを前記ターゲット帯域幅部分とする。
【００９８】
本ステップでは、端末は、前記ターゲットキャリア内で前記ＰＲＢ指示情報に対応する周波数領域リソースを前記ターゲット帯域幅部分とする。
【００９９】
例えば、スケジューリング情報に含まれるキャリア指示情報が２であり、ＰＲＢ指示情報がＰＲＢ番号５、６、７、８である場合、端末は、図３Ａのキャリア２をターゲットキャリアとし、さらに、キャリア２内のＰＲＢ５、ＰＲＢ６、ＰＲＢ７及びＰＲＢ８に対応する周波数領域リソースをターゲット帯域幅部分とする。
【０１００】
基地局が、前記端末に対して構成された全てのキャリア上の物理リソースブロックを予め定義された順序で一括して番号付ける場合、スケジューリング情報には、スケジューリングされた物理リソースブロックＰＲＢを指示するためのＰＲＢ指示情報のみが含まれる。ステップ２０２は、下記のステップを含んでもよい。
【０１０１】
ステップ２０２−２１において、前記ＰＲＢ指示情報に対応する周波数領域リソースを前記ターゲット帯域幅部分とする。
【０１０２】
本ステップでは、端末は、ＰＲＢ指示情報に対応する周波数領域リソースを直接に前記ターゲット帯域幅部分とすることができる。
【０１０３】
例えば、図３Ｂで、スケジューリング情報に含まれるＰＲＢ指示情報が最初のＰＲＢの番号６、及びスケジューリングされたＰＲＢの数５であり、スケジューリングされたＰＲＢが連続的である場合、端末は、ＰＲＢ６、ＰＲＢ７、ＰＲＢ８、ＰＲＢ９及びＰＲＢ１０に対応する周波数領域リソースを直接にターゲット帯域幅部分とする。
【０１０４】
基地局が、前記端末に対して構成された各キャリア上の物理リソースブロックを予め定義された順序で個別に番号付け、且つ各キャリア上の前記帯域幅部分を物理リソースブロックの単位で予め定義された順序で独立して番号付ける場合、スケジューリング情報には、スケジューリングされたキャリアを指示するためのキャリア指示情報と、スケジューリングされたキャリア内のスケジューリングされた帯域幅部分を指示するための帯域幅部分指示情報と、スケジューリングされたキャリア内のスケジューリングされた帯域幅部分内のスケジューリングされた物理リソースブロックＰＲＢを指示するためのＰＲＢ指示情報と、が含まれる。図６を参照すると、図６は、図４に示す実施例に係る別のクロスキャリアスケジューリング方法を示すフローチャートであり、ステップ２０２は、下記のステップを含んでもよい。
【０１０５】
ステップ２０２−３１において、前記キャリア指示情報により指示されるキャリアを前記ターゲットキャリアとする。
【０１０６】
本ステップでは、端末は、キャリア指示情報により指示されるキャリアをスケジューリングされたターゲットキャリアとすることができる。
【０１０７】
ステップ２０２−３２において、前記ターゲットキャリア内の前記帯域幅部分指示情報及び前記ＰＲＢ指示情報に対応する周波数領域リソースを前記ターゲット帯域幅部分とする。
【０１０８】
本ステップでは、端末は、ターゲットキャリア内で、帯域幅部分指示情報及びＰＲＢに同時に対応する周波数領域リソースをターゲット帯域幅部分とすることができる。
【０１０９】
例えば、図３Ｃで、キャリア指示情報が１であり、帯域幅部分指示情報が２であり、ＰＲＢ指示情報がＰＲＢ番号５、６及び７である場合、端末は、キャリア１をターゲットキャリアとし、さらに、キャリア１内で帯域幅部分２内のＰＲＢ５、ＰＲＢ６及びＰＲＢ７に対応する周波数領域リソースをターゲット帯域幅部分とする。
【０１１０】
上記の実施例では、端末がキャリア指示情報及び帯域幅部分指示情報を解析できるようにするために、キャリア指示情報の情報長値は、第１の予定値であり、且つ前記スケジューリング情報内の第１の予定位置に設定されてもよく、前記帯域幅部分指示情報の情報長値は、第２の予定値であり、且つ前記スケジューリング情報内の第２の予定位置に設定されてもよく、ここで、前記第１の予定位置と前記第２の予定位置は同じ又は異なる。つまり、キャリア指示情報及び帯域幅部分指示情報は、独立した符号化の方式で前記スケジューリング情報内の異なる領域でそれぞれ運搬されてもよいし、ジョイント符号化の方式で前記スケジューリング情報内の同一の領域で運搬されてもよい。これにより、スケジューリング情報の構成をより円滑にする。
【０１１１】
端末は、スケジューリング情報の予定位置で、キャリア指示情報及び帯域幅部分指示情報のそれぞれに対応する予め設定された情報長値に基づいてキャリア指示情報及び帯域幅部分指示情報を解析することができる。
【０１１２】
上記の実施例では、スケジューリング情報にキャリア指示情報及び帯域幅部分指示情報が直接含まれる。選択的に、基地局が、前記端末に対して構成された各キャリア上の物理リソースブロックを予め定義された順序で個別に番号付け、且つ各キャリア上の前記帯域幅部分を物理リソースブロックの単位で予め定義された順序で独立して番号付ける場合、スケジューリング情報には、関連情報と、スケジューリングされた物理リソースブロックＰＲＢを指示するためのＰＲＢ指示情報と、が含まれてもよい。
【０１１３】
図７を参照すると、図７は、図４に示す実施例に係る別のクロスキャリアスケジューリング方法を示すフローチャートであり、ステップ２０２は、下記のステップを含んでもよい。
【０１１４】
ステップ２０２−４１において、予め記憶された前記関連情報とキャリア指示情報及び帯域幅部分指示情報との間のマッピング関係に基づき、スケジューリング情報内の関連情報に対応するキャリア指示情報及び帯域幅部分指示情報を取得する。
【０１１５】
本ステップでは、端末は、関連情報とキャリア指示情報及び帯域幅部分指示情報との間のマッピング関係を予め記憶することができ、前記関連情報は、選択的に、スクランブリングシーケンスであってもよく、この場合、前記マッピング関係は表１に示すとおりであってもよい。
【０１１６】
【表１】
0006917480.tif 000002
端末は、表１のスクランブリングシーケンスに基づいてＰＢＣＨ又はＳＳ  ｂｌｏｃｋに対応する情報のデスクランブルを試みることができ、デスクランブルに成功したスクランブリングシーケンスは、スケジューリング情報に含まれる関連情報であり、さらに、表１に基づいてスケジューリング情報内のスクランブリングシーケンスに対応するキャリア指示情報及び帯域幅部分指示情報を決定することができる。
【０１１７】
ステップ２０２−４２において、前記キャリア指示情報により指示されるキャリアを前記ターゲットキャリアとする。
【０１１８】
本ステップでは、端末は、前記キャリア指示情報により指示されるキャリアを前記ターゲットキャリアとすることができる。
【０１１９】
ステップ２０２−４３において、前記ターゲットキャリア内の前記帯域幅部分指示情報及び前記ＰＲＢ指示情報に対応する周波数領域リソースを前記ターゲット帯域幅部分とする。
【０１２０】
本ステップでは、端末は、ターゲットキャリアを決定した後、前記ターゲットキャリア内の前記帯域幅部分指示情報及び前記ＰＲＢ指示情報に同時に対応する周波数領域リソースを前記ターゲット帯域幅部分とする。
【０１２１】
上記のステップ２０３については、端末は、ターゲット帯域幅部分を決定した後、関連技術に従ってスケジューリング情報が位置しているスケジューリングキャリアを介してターゲット帯域幅部分をスケジューリングすることができる。例えば、ターゲット帯域幅部分を介して異なるシグナリング又はデータ等を運搬する。
【０１２２】
上記の実施例では、端末は、基地局がＰＲＢに対して番号付ける方式、及びスケジューリング情報に含まれる情報によって、ターゲット帯域幅部分を決定することができる。これにより、スケジューリングキャリアを介してターゲット帯域幅部分をスケジューリングし、クロスキャリアスケジューリングを実現するとともに、少なくとも１つの帯域幅部分が構成されたターゲットキャリアに対してクロス帯域幅部分スケジューリングを行うことができ、これにより、スケジューリングの方式をより円滑にする。また、クロス帯域幅部分でスケジューリングを行うとき、キャリア上の異なる帯域幅部分のリソースを十分に利用することができ、制御シグナリングのブロッキング確率が低減される。
【０１２３】
図８を参照すると、図８は、一例示的な実施例に係る別のクロスキャリアスケジューリング方法を示すフローチャートであり、前記方法は、下記のステップを含む。
【０１２４】
ステップ３０１において、基地局は、ターゲットシグナリングを介してスケジューリング情報を端末に送信する。
【０１２５】
ここで、前記ターゲットシグナリングには、無線リソース制御シグナリング、システム情報、メディアアクセス制御アドレス制御ユニット及び物理層シグナリングのうちのいずれか１つが含まれてもよい。前記スケジューリング情報に複数の情報が含まれる場合、１つのターゲットシグナリングを介して全てのスケジューリング情報を端末に一括して送信してもよいし、異なるターゲットシグナリングを介して異なるスケジューリング情報を端末に別個に送信してもよい。
【０１２６】
基地局は、上記の幾つかの方式でＰＲＢを予め番号付け、異なる番号付け方式により、スケジューリング情報に含まれる情報が異なる。
【０１２７】
ステップ３０２において、端末は、前記スケジューリング情報に基づいて少なくとも１つのターゲットキャリア上のターゲット帯域幅部分を決定する。
【０１２８】
本ステップでは、端末は、上記の実施例に提供される方式で、情報に基づいて少なくとも１つのターゲットキャリア上のターゲット帯域幅部分を決定することができる。
【０１２９】
ステップ３０３において、端末は、スケジューリング情報が位置しているスケジューリングキャリアを介して前記ターゲット帯域幅部分をスケジューリングする。
【０１３０】
上記の実施例では、スケジューリングキャリアにより少なくとも１つのターゲットキャリア上のターゲット帯域幅部分をスケジューリングすることができ、クロスキャリアスケジューリングを実現するとともに、少なくとも１つの帯域幅部分が構成されたターゲットキャリアに対してクロス帯域幅部分スケジューリングを行うことができ、これにより、スケジューリングの方式をより円滑にする。また、クロス帯域幅部分スケジューリングを行うとき、キャリア上の異なる帯域幅部分のリソースを十分に利用することができ、制御シグナリングのブロッキング確率が低減される。
【０１３１】
前述の各方法の実施例では、説明を簡単にするために、それらはいずれも一連のアクションの組み合わせとして説明されているが、本発明によれば、幾つかのステップは他の順序で、又は同時に行われることができるため、当業者は、本発明が説明されたアクションの順序により制限されないことを知っているはずである。
【０１３２】
次に、当業者は、明細書に記載された実施例がいずれも選択可能な実施例であり、関与するアクション及びモジュールが本発明に必ずしも必要ではないことも知っているはずである。
【０１３３】
前述のアプリケーション機能の実現方法の実施例に対応して、本発明は、アプリケーション機能の実現装置及び対応する実施例をさらに提供する。
【０１３４】
図９を参照すると、一例示的な実施例に係る基地局に用いられるクロスキャリアスケジューリング装置を示すブロック図であり、前記装置は、
スケジューリング情報を端末に送信するように構成される第１の送信モジュール４１０を備え、前記スケジューリング情報は、スケジューリングキャリアを介して少なくとも１つのターゲットキャリア上のターゲット帯域幅部分をクロスキャリアスケジューリングするために使用され、
ここで、前記ターゲットキャリアは、前記スケジューリングキャリアによりスケジューリングされ、且つ少なくとも１つの帯域幅部分が構成されたキャリアであり、前記帯域幅部分は、前記キャリア上で予め指定された周波数領域リソースであり、前記ターゲット帯域幅部分は、前記ターゲットキャリア上の全ての帯域幅部分のうち、前記スケジューリングキャリアによりスケジューリングされた帯域幅部分である。
【０１３５】
図１０を参照すると、図１０は、図９に示す実施例に基づいて示される別のクロスキャリアスケジューリング装置のブロック図であり、前記第１の送信モジュール４１０は、
ターゲットシグナリングを介してスケジューリング情報を端末に送信するように構成される送信サブモジュール４１１を備え、ここで、前記ターゲットシグナリングには、
無線リソース制御シグナリング、システム情報、メディアアクセス制御アドレス制御ユニット及び物理層シグナリングのうちのいずれか１つが含まれる。
【０１３６】
選択的に、前記端末に対して構成された各キャリア上の物理リソースブロックを予め定義された順序で個別に番号付ける場合、前記スケジューリング情報には、
スケジューリングされたキャリアを指示するためのキャリア指示情報と、
スケジューリングされたキャリア内のスケジューリングされた物理リソースブロックＰＲＢを指示するためのＰＲＢ指示情報と、が含まれる。
【０１３７】
選択的に、前記端末に対して構成された全てのキャリア上の物理リソースブロックを予め定義された順序で一括して番号付ける場合、前記スケジューリング情報には、
スケジューリングされた物理リソースブロックＰＲＢを指示するためのＰＲＢ指示情報が含まれる。
【０１３８】
選択的に、前記端末に対して構成された各キャリア上の物理リソースブロックを予め定義された順序で個別に番号付け、且つ各キャリア上の前記帯域幅部分を物理リソースブロックの単位で予め定義された順序で独立して番号付ける場合、前記スケジューリング情報には、
スケジューリングされたキャリアを指示するためのキャリア指示情報と、
スケジューリングされたキャリア内のスケジューリングされた帯域幅部分を指示するための帯域幅部分指示情報と、
スケジューリングされたキャリア内のスケジューリングされた帯域幅部分内のスケジューリングされた物理リソースブロックＰＲＢを指示するためのＰＲＢ指示情報と、が含まれる。
【０１３９】
選択的に、前記キャリア指示情報の情報長値は第１の予定値であり、且つ前記スケジューリング情報内の第１の予定位置に設定され、
前記帯域幅部分指示情報の情報長値は第２の予定値であり、且つ前記スケジューリング情報内の第２の予定位置に設定され、
ここで、前記第１の予定位置と前記第２の予定位置は同じ又は異なる。
【０１４０】
選択的に、前記端末に対して構成された各キャリア上の物理リソースブロックを予め定義された順序で個別に番号付け、且つ各キャリア上の前記帯域幅部分を物理リソースブロックの単位で予め定義された順序で独立して番号付ける場合、前記スケジューリング情報には、
関連情報と、
スケジューリングされた物理リソースブロックＰＲＢを指示するためのＰＲＢ指示情報と、が含まれ、
ここで、前記関連情報は、キャリア指示情報及び帯域幅部分スケジューリング情報に関連する情報であり、前記キャリア指示情報は、スケジューリングされたキャリアを指示するための情報であり、前記帯域幅部分指示情報は、スケジューリングされたキャリア内のスケジューリングされた帯域幅部分を指示するための情報である。
【０１４１】
選択的に、前記関連情報は、予め定義され、又は前記基地局により前記端末に対して構成されたものであり、
前記関連情報が前記基地局により前記端末に対して構成されたものである場合、図１１を参照すると、図１１は、図９に示す実施例に基づいて示される別のクロスキャリアスケジューリング装置のブロック図であり、前記装置は、
ターゲットシグナリングを介して前記関連情報を前記端末に送信するように構成される第２の送信モジュール４２０をさらに備え、ここで、前記ターゲットシグナリングには、無線リソース制御シグナリング、システム情報、メディアアクセス制御アドレス制御ユニット及び物理層シグナリングのうちのいずれか１つが含まれる。
【０１４２】
図１２を参照すると、一例示的な実施例に係る端末に用いられる別のクロスキャリアスケジューリング装置を示すブロック図であり、前記装置は、
基地局により送信されたスケジューリング情報を受信するように構成される受信モジュール５１０と、
前記スケジューリング情報に基づいて少なくとも１つのターゲットキャリア上のターゲット帯域幅部分を決定するように構成される決定モジュール５２０と、
前記スケジューリング情報が位置しているスケジューリングキャリアを介して前記ターゲット帯域幅部分をスケジューリングするように構成される帯域幅部分スケジューリングモジュール５３０と、を備え、
ここで、前記ターゲットキャリアは、前記スケジューリングキャリアによりスケジューリングされ、且つ少なくとも１つの帯域幅部分が構成されたキャリアであり、前記帯域幅部分は、前記ターゲットキャリア上で予め指定された周波数領域リソースであり、前記ターゲット帯域幅部分は、前記ターゲットキャリア上の全ての帯域幅部分のうち、前記スケジューリングキャリアによりスケジューリングされた帯域幅部分である。
【０１４３】
図１３を参照すると、図１３は、図１２に示す実施例に基づいて示される別のクロスキャリアスケジューリング装置のブロック図であり、前記決定モジュール５２０は、
前記スケジューリング情報に、スケジューリングされたキャリアを指示するためのキャリア指示情報と、スケジューリングされたキャリア内のスケジューリングされた物理リソースブロックＰＲＢを指示するためのＰＲＢ指示情報と、が含まれる場合、前記キャリア指示情報により指示されるキャリアを前記ターゲットキャリアとするように構成される第１の決定サブモジュール５２１と、
前記ターゲットキャリア内の前記ＰＲＢ指示情報に対応する周波数領域リソースを前記ターゲット帯域幅部分とするように構成される第２の決定サブモジュール５２２、とを備える。
【０１４４】
図１４を参照すると、図１４は、図１２に示す実施例に基づいて示される別のクロスキャリアスケジューリング装置のブロック図であり、前記決定モジュール５２０は、
前記スケジューリング情報に、スケジューリングされた物理リソースブロックＰＲＢのＰＲＢ指示情報が含まれる場合、前記ＰＲＢ指示情報に対応する周波数領域リソースを前記ターゲット帯域幅部分とするように構成される第３の決定サブモジュール５２３を備える。
【０１４５】
図１５を参照すると、図１５は、図１２に示す実施例に基づいて示される別のクロスキャリアスケジューリング装置のブロック図であり、前記決定モジュール５２０は、
前記スケジューリング情報に、ケジューリングされたキャリアを指示するためのキャリア指示情報と、スケジューリングされたキャリア内のスケジューリングされた帯域幅部分を指示するための帯域幅部分指示情報と、スケジューリングされたキャリア内のスケジューリングされた帯域幅部分内のスケジューリングされた物理リソースブロックＰＲＢを指示するためのＰＲＢ指示情報と、が含まれる場合、前記キャリア指示情報により指示されるキャリアを前記ターゲットキャリアとするように構成される第４の決定サブモジュール５２４と、
前記ターゲットキャリア内の前記帯域幅部分指示情報及び前記ＰＲＢ指示情報に対応する周波数領域リソースを前記ターゲット帯域幅部分とするように構成される第５の決定サブモジュール５２５と、を備える。
【０１４６】
図１６を参照すると、図１６は、図１２に示す実施例に基づいて示される別のクロスキャリアスケジューリング装置のブロック図であり、前記決定モジュール５２０は、
前記スケジューリング情報に、関連情報と、スケジューリングされた物理リソースブロックＰＲＢを指示するためのＰＲＢ指示情報と、が含まれる場合、予め記憶された前記関連情報とキャリア指示情報及び帯域幅部分指示情報との間のマッピング関係に基づき、スケジューリング情報内の関連情報に対応するキャリア指示情報及び帯域幅部分指示情報を取得するように構成される第６の決定サブモジュール５２６と、
前記キャリア指示情報により指示されるキャリアを前記ターゲットキャリアとするように構成される第７の決定サブモジュール５２７と、
前記ターゲットキャリア内の前記帯域幅部分指示情報及び前記ＰＲＢ指示情報に対応する周波数領域リソースを前記ターゲット帯域幅部分とするように構成される第８の決定サブモジュール５２８と、を備える。
【０１４７】
装置の実施例に関して、それは基本的に方法の実施例に対応するため、関連する部分は方法の実施例の部分の説明を参照すればよい。上記の装置の実施例は単なる例示的なものであり、ここで、上記の分離部材として説明されるユニットは物理的に分離されていてもよいし、分離されなくてもよく、ユニットとして表示される部材は、物理ユニットであってもよいし、物理ユニットでなくてもよく、即ち、１つの箇所に位置されてもよいし、複数のネットワークユニット上に分散されてもよい。実際の需要に応じて、これらのモジュールの一部又は全部を選択して本発明の解決策の目的を実現することができる。当業者は、創造的な努力なしに理解及び実施することができる。
【０１４８】
相応に、本発明によれば、コンピュータプログラムが記憶されたコンピュータ読み取り可能な記録媒体がさらに提供され、前記コンピュータプログラムは、上記の基地局側に用いられるいずれかに記載のクロスキャリアスケジューリング方法を実行するために使用される。
【０１４９】
相応に、本発明によれば、コンピュータプログラムが記憶されたコンピュータ読み取り可能な記録媒体がさらに提供され、前記コンピュータプログラムは、上記の端末側に用いられるいずれかに記載のクロスキャリアスケジューリング方法を実行するために使用される。
【０１５０】
相応に、本発明によれば、基地局に用いられるクロスキャリアスケジューリング装置がさらに提供され、前記装置は、
プロセッサーと、
プロセッサーで実行可能な命令を記憶するためのメモリと、を備え、
ここで、前記プロセッサーは、
スケジューリング情報を端末に送信するように構成され、前記スケジューリング情報は、スケジューリングキャリアを介して少なくとも１つのターゲットキャリア上のターゲット帯域幅部分をクロスキャリアスケジューリングするために使用され、
ここで、前記ターゲットキャリアは、前記スケジューリングキャリアによりスケジューリングされ、且つ少なくとも１つの帯域幅部分が構成されたキャリアであり、前記帯域幅部分は、前記キャリア上で予め指定された周波数領域リソースであり、前記ターゲット帯域幅部分は、前記ターゲットキャリア上の全ての帯域幅部分のうち、前記スケジューリングキャリアによりスケジューリングされた帯域幅部分である。
【０１５１】
図１７に示すように、図１７は、一例示的な実施例に係るクロスキャリアスケジューリング装置１８００を示す一構造模式図である。装置１８００は、一基地局として提供されてもよい。図１７を参照すると、装置１８００は、処理ユニット１７２２、無線送信／受信ユニット１７２４、アンテナユニット１７２６、及び無線インタフェース特有の信号処理部分を備え、処理ユニット１７２２は、１つ又は複数のプロセッサーをさらに備えてもよい。
【０１５２】
処理ユニット１７２２内のプロセッサーの１つは、
スケジューリング情報を端末に送信するように構成されてもよく、前記スケジューリング情報は、スケジューリングキャリアを介して少なくとも１つのターゲットキャリア上のターゲット帯域幅部分をクロスキャリアスケジューリングするために使用され、
ここで、前記ターゲットキャリアは、前記スケジューリングキャリアによりスケジューリングされ、且つ少なくとも１つの帯域幅部分が構成されたキャリアであり、前記帯域幅部分は、前記キャリア上で予め指定された周波数領域リソースであり、前記ターゲット帯域幅部分は、前記ターゲットキャリア上の全ての帯域幅部分のうち、前記スケジューリングキャリアによりスケジューリングされた帯域幅部分である。
【０１５３】
相応に、本発明によれば、端末に用いられるクロスキャリアスケジューリング装置がさらに提供され、前記装置は、
プロセッサーと、
プロセッサーで実行可能な命令を記憶するためのメモリと、を備え、
ここで、前記プロセッサーは、
基地局により送信されたスケジューリング情報を受信し、
前記スケジューリング情報に基づいて少なくとも１つのターゲットキャリア上のターゲット帯域幅部分を決定し、
前記スケジューリング情報が位置しているスケジューリングキャリアを介して前記ターゲット帯域幅部分をスケジューリングするように構成され、
ここで、前記ターゲットキャリアは、前記スケジューリングキャリアによりスケジューリングされ、且つ少なくとも１つの帯域幅部分が構成されたキャリアであり、前記帯域幅部分は、前記ターゲットキャリア上で予め指定された周波数領域リソースであり、前記ターゲット帯域幅部分は、前記ターゲットキャリア上の全ての帯域幅部分のうち、前記スケジューリングキャリアによりスケジューリングされた帯域幅部分である。
【０１５４】
図１８は、一例示的な実施例に係るクロスキャリアスケジューリング装置を示す構造模式図である。図１８に示すように、一例示的な実施例に係るクロスキャリアスケジューリング装置１８００が示されており、この装置１８００は、コンピュータ、携帯電話、デジタルブロードキャスト端末、メッセージ送受信機、ゲームコンソール、タブレットデバイス、医療機器、フィットネス機器、ＰＤＡ等の端末であってもよい。
【０１５５】
図１８を参照すると、装置１８００は、処理ユニット１８０１、メモリ１８０２、電源ユニット１８０３、マルチメディアユニット１８０４、オーディオユニット１８０５、入力／出力（Ｉ／Ｏ）インタフェース１８０６、センサーユニット１８０７、及び通信ユニット１８０８からなる群から選ばれる少なくとも１つを備えてもよい。
【０１５６】
処理ユニット１８０１は、一般的には、装置１８００の全体の操作、例えば、表示、電話呼び出し、データ通信、カメラ操作及び記録操作に関連する操作を制御する。処理ユニット１８０１は、上述した方法におけるステップの一部又は全部を実現できるように、命令を実行する少なくとも１つのプロセッサー１８０９を備えてもよい。また、処理ユニット１８０１は、他のユニットとのインタラクションを便利にさせるように、少なくとも１つのモジュールを備えてもよい。例えば、処理ユニット１８０１は、マルチメディアユニット１８０４とのインタラクションを便利にさせるように、マルチメディアモジュールを備えてもよい。
【０１５７】
メモリ１８０２は、装置１８００での操作をサポートするように、各種のデータを記憶するように配置される。これらのデータは、例えば、装置１８００で何れのアプリケーション又は方法を操作するための命令、連絡先データ、電話帳データ、メッセージ、画像、ビデオ等を含む。メモリ１８０２は、何れの種類の揮発性又は不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクにより、或いはそれらの組み合わせにより実現することができる。
【０１５８】
電源ユニット１８０３は、装置１８００の各種ユニットに電力を供給するためのものであり、電源管理システム、１つ又は複数の電源、及び装置１８００のために電力を生成、管理及び分配することに関連する他のユニットを備えてもよい。
【０１５９】
マルチメディアユニット１８０４は、装置１８００とユーザとの間に出力インタフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット１８０４は、フロントカメラ及び／又はバックカメラを有してもよい。装置１８００が、例えば、撮影モードやビデオモードのような操作モードにある時、フロントカメラ及び／又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【０１６０】
オーディオユニット１８０５は、オーディオ信号を出力及び／又は入力するように配置される。例えば、オーディオユニット１８０５は、マイクロフォン（ＭｉＣ）を有してもよい。装置１８００が、例えば、呼び出しモード、記録モード、又は音声認識モードのような操作モードにあるとき、マイクロフォンは、外部のオーディオ信号を受信するように配置される。受信したオーディオ信号は、メモリ１８０２にさらに記憶されてもよいし、通信ユニット１８０８を介して送信されてもよい。一実施例では、オーディオユニット１８０５は、オーディオ信号を出力するためのスピーカをさらに備えてもよい。
【０１６１】
Ｉ／Ｏインタフェース１８０６は、処理ユニット１８０１と外部のインタフェースモジュールとの間にインタフェースを提供するためのものである。上記外部のインタフェースモジュールは、キーボードや、クリックホイールや、ボタン等であってもよい。これらのボタンは、ホームボタンや、音量ボタンや、スタートボタンや、ロックボタンであってもよいが、それらに限らない。
【０１６２】
センサーユニット１８０７は、装置１８００のために各方面の状態を評価する少なくとも１つのセンサーを備えてもよい。例えば、センサーユニット１８０７は、装置１８００のオン／オフ状態や、ユニットの相対的な位置を検出することができる。例えば、前記ユニットは、装置１８００のディスプレイ及びキーパッドである。センサーユニット１８０７は、装置１８００又は装置１８００の１つのユニットの位置の変化、ユーザによる装置１８００への接触の有無、装置１８００の方向又は加速／減速、装置１８００の温度変化などを検出することができる。センサーユニット１８０７は、何れの物理的な接触もない場合に付近の物体を検出するように配置される近接センサーを有してもよい。センサーユニット１８０７は、イメージングアプリケーションに用いるための光センサー、例えば、ＣＭＯＳ又はＣＣＤ画像センサーを有してもよい。一実施例では、当該センサーユニット１８０７は、加速度センサー、ジャイロスコープセンサー、磁気センサー、圧力センサー又は温度センサーをさらに備えてもよい。
【０１６３】
通信ユニット１８０８は、装置１８００と他の設備の間との無線又は有線通信を便利にさせるように配置される。装置１８００は、通信標準に基づく無線ネットワーク、例えば、ＷｉＦｉ、２Ｇ又は３Ｇ、又はそれらの組み合わせにアクセスできる。１つの例示的な実施例では、通信ユニット１８０８は、ブロードキャストチャンネルを介して外部のブロードキャスト管理システムからのブロードキャスト信号又はブロードキャストに関する情報を受信する。１つの例示的な実施例では、前記通信ユニット１８０８は、近距離通信を促進するために近距離無線通信（ＮＦＣ）モジュールをさらに備えてもよい。例えば、ＮＦＣモジュールは、無線周波数認識装置（ＲＦＩＤ：Ｒａｄｉｏ  Ｆｒｅｑｕｅｎｃｙ  ＩＤｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅ  Ｂａｎｄ）技術、ブルートゥース（登録商標）（ＢＴ：Ｂｌｕｅｔｏｏｔｈ（登録商標））技術及び他の技術によって実現されてもよい。
【０１６４】
例示的な実施例では、装置１８００は、上述した方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサー（ＤＳＰ：Ｄｉｇｉｔａｌ  Ｓｉｇｎａｌ  Ｐｒｏｃｅｓｓｏｒ）、デジタル信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラマブルロジックデバイス（ＰＬＤ：Ｐｒｏｇｒａｍｍａｂｌｅ  Ｌｏｇｉｃ  Ｄｅｖｉｃｅ）、書替え可能ゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサー、又は他の電子機器によって実現されてもよい。
【０１６５】
例示的な実施例では、命令を有する非一時的コンピュータ読み取り可能な記録媒体、例えば、命令を有するメモリ１８０２をさらに提供する。前記命令は、装置１８００のプロセッサー１８０９により実行されて上述した方法を実現する。例えば、前記非一時的コンピュータ読み取り可能な記録媒体は、ＲＯＭ、ＲＡＭ、ＣＤ−ＲＯＭ、磁気テープ、フロッピー（登録商標）ディスク及び光データメモリ等であってもよい。
【０１６６】
ここで、前記記録媒体内の命令が前記プロセッサーにより実行されると、装置１８００が上記のいずれかに記載の端末側に用いられるクロスキャリアスケジューリング方法を実行するようにする。
【０１６７】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、単に例示的なものであって、本発明の本当の範囲と主旨は、以下の特許請求の範囲によって示される。
【０１６８】
本発明は、上記で記述され、図面で図示した特定の構成に限定されず、その範囲を離脱しない状況で、様々な修正や変更を実施してもよい。本発明の範囲は、添付される特許請求の範囲のみにより限定される。    
【図１】
0006917480.tif 000003
【図２Ａ】
0006917480.tif 000004
【図２Ｂ】
0006917480.tif 000005
【図３Ａ】
0006917480.tif 000006
【図３Ｂ】
0006917480.tif 000007
【図３Ｃ】
0006917480.tif 000008
【図４】
0006917480.tif 000009
【図５】
0006917480.tif 000010
【図６】
0006917480.tif 000011
【図７】
0006917480.tif 000012
【図８】
0006917480.tif 000013
【図９】
0006917480.tif 000014
【図１０】
0006917480.tif 000015
【図１１】
0006917480.tif 000016
【図１２】
0006917480.tif 000017
【図１３】
0006917480.tif 000018
【図１４】
0006917480.tif 000019
【図１５】
0006917480.tif 000020
【図１６】
0006917480.tif 000021
【図１７】
0006917480.tif 000022
【図１８】
0006917480.tif 000023